(57)【要約】【課題】長軸方向偏向方式の映像信号から短軸方向偏向方式の映像信号への変換によって生じる電力損失の増加を抑制することができる映像信号処理回路およびそれを備えた映像表示装置を提供することである。【解決手段】長軸偏向方式の映像信号のうちライン走査期間およびフィールド走査期間の映像信号が書き込み制御回路４０１によりメモリ４０３にサンプルとして書き込まれる。メモリ４０３に記憶されたライン走査期間およびフィールド走査期間のサンプルが短軸方向読み出し制御回路４０５により短軸方向に沿った順に読み出されるとともにライン帰線期間およびフィールド帰線期間には読み出しが行われない。それにより、映像信号の短軸方向におけるデータ数が映像信号補間処理回路４０７により減少される。【選択図】        図２
2004304654.tif 000002
【特許請求の範囲】
【請求項１】
長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、
映像信号を記憶するための記憶手段と、
長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号を前記記憶手段にデータとして書き込む書き込み手段と、
前記記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号を得る読み出し手段と、
前記読み出し手段により得られた短軸偏向方式の映像信号の短軸方向におけるデータ数を補間処理により減少させる補間処理手段と、
前記補間処理手段により減少されたデータ数に応じて前記偏向装置により画面の短軸方向に沿って走査される電子ビームのライン走査期間を設定するとともに前記偏向装置により画面の短軸方向に沿って帰還される電子ビームのライン帰線期間を設定する偏向装置設定手段とを備えたことを特徴とする映像信号処理回路。
【請求項２】
長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、
映像信号を記憶するための記憶手段と、
長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号を第１のサンプリング信号に応答して前記記憶手段にデータとして書き込む書き込み手段と、
前記記憶手段に記憶された長軸方向のライン走査期間および短軸方向のフィールド走査期間のデータを第２のサンプリング信号に応答して短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号を得る読み出し手段と、
前記第２のサンプリング信号の周波数を前記第１のサンプリング信号の周波数よりも高く設定するサンプリング周波数設定手段と、
前記サンプリング周波数設定手段により設定された第２のサンプリング信号の周波数に応じて前記偏向装置により画面の短軸方向に沿って走査される電子ビームのライン走査期間を設定するとともに前記偏向装置により画面の短軸方向に沿って帰還される電子ビームのライン帰線期間を設定する偏向装置設定手段とを備えたことを特徴とする映像信号処理回路。
【請求項３】
長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、
映像信号を記憶するための記憶手段と、
長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号を前記記憶手段にデータとして書き込む書き込み手段と、
前記記憶手段に記憶された映像信号の長軸方向におけるデータ数を補間処理により増加させ前記記憶手段に記憶させる第１の補間処理手段と
前記記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号を得る読み出し手段と、
前記読み出し手段により得られた短軸偏向方式の映像信号の短軸方向におけるデータ数を補間処理により減少させる第２の補間処理手段と、
前記第２の補間処理手段により減少されたデータ数に応じて前記偏向装置により画面の短軸方向に沿って走査される電子ビームのライン走査期間を設定するとともに前記偏向装置により画面の短軸方向に沿って帰還される電子ビームのライン帰線期間を設定し、前記第１の補間処理手段により増加されたデータ数に応じて前記偏向装置により画面の長軸方向に走査される電子ビームのフィールド走査期間を設定するとともに前記偏向装置により画面の長軸方向に帰還される電子ビームのフィールド帰線期間を設定する偏向装置設定手段とを備えたことを特徴とする映像信号処理回路。
【請求項４】
長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、
映像信号を記憶するための記憶手段と、
長軸方向において第１のサンプル数からなるライン走査期間および第２のサンプル数からなるライン帰線期間を有しかつ短軸方向において第１のライン数からなるフィールド走査期間および第２のライン数からなるフィールド帰線期間を有する長軸偏向方式の映像信号のうち長軸方向のライン走査期間および短軸方向のフィールド走査期間の映像信号を前記記憶手段にデータとして書き込む書き込み手段と、
前記記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向において第３のサンプル数からなるライン走査期間および第４のサンプル数からなるライン帰線期間を有しかつ長軸方向において第３のライン数からなるフィールド走査期間および第４のライン数からなるフィールド帰線期間を有する短軸偏向方式の映像信号を得る読み出し手段と、
前記第４のサンプル数を前記第２のライン数よりも大きく設定し、前記第４のライン数を前記第２のサンプル数よりも小さく設定するライン／サンプル設定手段と、
前記第３のサンプル数に応じて前記偏向装置により画面の短軸方向に沿って走査される電子ビームのライン走査期間を設定するとともに前記ライン／サンプル設定手段により設定された第４のサンプル数に応じて前記偏向装置により画面の短軸方向に沿って帰還される電子ビームのライン帰線期間を設定し、前記第３のライン数に応じて前記偏向装置により画面の長軸方向に走査される電子ビームのフィールド走査期間を設定するとともに前記ライン／サンプル設定手段により設定された第４のライン数に応じて前記偏向装置により画面の長軸方向に帰還される電子ビームのフィールド帰線期間を設定する偏向装置設定手段とを備えたことを特徴とする映像信号処理回路。
【請求項５】
長軸偏向方式の映像信号に基づいて短軸偏向方式に従って映像を表示する映像表示装置であって、
請求項１〜４のいずれかに記載の映像信号処理回路と、
前記映像信号処理回路により得られる短軸偏向方式の映像信号に基づいて電子ビームを画面に照射する表示手段と、
前記偏向装置とを備え、
前記偏向装置は、
第１の偏向コイルと、
前記偏向装置設定手段により設定されたライン走査期間およびライン帰線期間に応じて前記電子ビームを短軸方向に偏向させる短軸偏向電流を前記第１の偏向コイルに供給する第１の偏向回路と、
第２の偏向コイルと、
前記電子ビームを長軸方向に偏向させる長軸偏向電流を前記第２の偏向コイルに供給する第２の偏向回路とを備えたことを特徴とする映像表示装置。
【請求項６】
前記偏向装置設定手段は、前記ライン走査期間と前記ライン帰線期間との割合を変更可能に設定され、
前記第１の偏向回路は、
前記偏向装置設定手段による前記ライン走査期間と前記ライン帰線期間との割合の変更に応じて前記短軸偏向電流のライン走査期間とライン帰線期間との割合を変更する第１の変更手段を含むことを特徴とする請求項５記載の映像表示装置。
【請求項７】
前記映像信号処理回路は、請求項３または４記載の映像信号処理回路であり、
前記偏向装置設定手段は、前記フィールド走査期間と前記フィールド帰線期間との割合を変更可能に設定され、
前記第２の偏向回路は、
前記偏向装置設定手段による前記フィールド走査期間と前記フィールド帰線期間との割合の変更に応じて前記長軸偏向電流のフィールド走査期間とフィールド帰線期間との割合を変更する第２の変更手段を含むことを特徴とする請求項５または６記載の映像表示装置。
【発明の詳細な説明】
【０００１】
【発明の属する技術分野】
本発明は、電子ビームを画面の短軸方向に偏向させることにより画面上に短軸方向の走査線を形成するための映像信号処理回路およびそれを備えた映像表示装置に関する。
【０００２】
【従来の技術】
通常のテレビジョン装置では、電子ビームを水平方向に偏向させることにより画面上に水平方向の走査線を形成している。しかし、近年、ＨＤＴＶ（高品位テレビジョン）装置のように大画面化に伴って電子ビームの偏向角度が増大している。その結果、特に画面が横方向に大きくなると電子ビームの偏向角度がさらに増大し、電子ビームのスポットの形状が画面の左端部および右端部で著しく偏平するという問題が生じる。
【０００３】
電子ビームを画面の短軸方向に偏向させることにより、画面上に短軸方向の走査線を形成する映像表示装置が提案されている（例えば、特許文献１参照）。
【０００４】
なお、以下においては、画面が横長の長方形であるものとして説明を行う。したがって、画面の短軸方向は縦方向であり、長軸方向は横方向である。長方形の画面の短軸方向と平行に電子ビームを偏向することにより短軸方向に平行な走査線を形成する方式を縦偏向方式と呼び、長方形の画面の長軸方向に平行に電子ビームを偏向することにより長軸方向に平行な走査線を形成する方式を横偏向方式と呼ぶ。
【０００５】
図２２（ａ）は横偏向方式による走査線の形成を説明するための模式図であり、図２２（ｂ）は縦偏向方式による走査線の形成を説明するための模式図である。
【０００６】
図２２（ａ）に示すように、横偏向方式では、横長の画面の左端より右端へ長軸と平行な走査線が形成される。また、図２２（ｂ）に示すように、縦偏向方式では、横長の画面の上端より下端へ短軸と平行な走査線が形成される。
【０００７】
このように、縦偏向方式では、横偏向方式に比べて画面上での１走査の走査距離が短いため電子ビームの偏向角度も小さくなる。
【０００８】
次に、図２３（ａ）は横偏向方式による電子ビームのスポットの形状を示す模式図であり、図２３（ｂ）は縦偏向方式による電子ビームのスポットの形状を示す模式図である。
【０００９】
図２３（ａ），（ｂ）においては、画面の中央部における電子ビームのスポット５０１、画面の中央上端部における電子ビームのスポット５０２、画面の右上端部における電子ビームのスポット５０３および画面の中央右端部における電子ビームのスポット５０４が示される。以下、画面の中央上端部、画面の右上端部および画面の中央右端部を合わせて画面の周辺部と呼ぶ。
【００１０】
図２３（ａ），（ｂ）に示すように、画面の中央部における電子ビームのスポット５０１はほぼ円形となっているが、画面の周辺部における電子ビームのスポット５０２，５０３，５０４は偏平して楕円形となっている。
【００１１】
縦偏向方式では、横偏向方式と比較して電子ビームの偏向角度が小さいため、画面の周辺部での電子ビームのスポット５０２，５０３，５０４の変形量が小さい。したがって、スポット径を縮小し、解像度を向上させることができる。また、電子ビームの偏向角度が小さいため、電子銃に印加するダイナミックフォーカス電圧を低減することができる。その結果、消費電力を低減することができる。
【００１２】
【特許文献１】
特開平０３−１７１５３５号公報
【００１３】
【発明が解決しようとする課題】
横偏向方式を用いたテレビジョン装置において、電子ビームを水平方向に偏向するための水平偏向ヨークには、高電圧パルスを出力するためのフライバックトランスが接続されている。このフライバックトランスは、ライン帰線期間における偏向電流の急速な電流変化により生じた高電圧パルスを受像管に供給する。
【００１４】
しかしながら、縦偏向方式を用いたテレビジョン装置においては、以下に説明するように、横偏向方式と比較してライン走査期間に対するライン帰線期間の割合が減少するため電力損失が増加する。
【００１５】
以下、横偏向方式の映像信号を縦偏向方式の映像信号に変換した場合にライン走査期間に対するライン帰線期間の割合が減少する理由について説明し、続いて、有効走査期間に対するライン帰線期間の割合が減少した場合にフライバックトランスでの電力損失が増加する理由について説明する。
【００１６】
図２４は横偏向方式の映像信号のライン走査期間およびライン帰線期間とフィールド走査期間およびフィールド帰線期間との関係を示す模式図であり、図２５は縦偏向方式の映像信号のライン走査期間およびライン帰線期間とフィールド走査期間およびフィールド帰線期間との関係を示す模式図である。
【００１７】
図２４に示す横偏向方式において、Ｐは水平方向のライン走査期間を示し、Ｑは水平方向のライン帰線期間を示し、Ｒは水平方向のライン走査期間およびライン帰線期間を合わせた水平走査期間を示す。また、Ｓは垂直方向のフィールド走査期間を示し、Ｔは垂直方向のフィールド帰線期間を示し、Ｕは垂直方向のフィールド走査期間およびフィールド帰線期間を合わせた垂直走査期間を示す。
【００１８】
また、図２５に示す縦偏向方式において、Ｈは水平方向のフィールド走査期間を示し、Ｉは水平方向のフィールド帰線期間を示し、Ｊは水平方向のフィールド走査期間およびフィールド帰線期間を合わせた水平走査期間を示す。また、Ｋは垂直方向のライン走査期間を示し、Ｌは垂直方向のライン帰線期間を示し、Ｍは垂直方向のライン走査期間およびライン帰線期間を合わせた垂直走査期間を示す。
【００１９】
例えば、図２４に示す横偏向方式の映像信号は、７５０本の走査線（以下、ラインと呼ぶ。）を有するプログレッシブ走査の映像信号とする。ここで、映像信号は、サンプリング信号に同期してサンプリングされ、サンプル点の映像信号が画面上に順次表示される。図２４に示す横偏向方式の映像信号を図２５に示す縦偏向方式の映像信号に変換した場合、図２４に示す期間Ｐ〜Ｕおよび図２５に示す期間Ｈ〜Ｍのライン数、クロック数、期間の長さおよび周波数は、それぞれ表１に示すようになる。ここで、クロック数とは、サンプリング信号のパルスを意味する。
【００２０】
【表１】
2004304654.tif 000003
【００２１】
表１によれば、横偏向方式の１ラインのライン走査期間Ｐは１７．２４μｓ（１２８０クロック）であり、横偏向方式の１ラインのライン帰線期間Ｑは４．９８μｓ（３７０クロック）である。したがって、横偏向方式の１ラインのライン走査期間に対するライン帰線期間の割合は、次式で表される。
【００２２】
ライン帰線期間Ｑ／ライン走査期間Ｐ
＝３７０（クロック）／１２８０（クロック）≒０．２８９  ・・・（１）
一方、縦偏向方式の１ラインのライン走査期間Ｋは９．７μｓ（７２０クロック）であり、縦偏向方式の１ラインのライン帰線期間Ｌは０．４０４μｓ（３０クロック）である。したがって、縦偏向方式の映像信号のライン走査期間に対するライン帰線期間の割合は、次式であらわされる。
【００２３】
ライン帰線期間Ｌ／ライン走査期間Ｋ
＝３０（クロック）／７２０（クロック）≒０．０４２  ・・・（２）
以上のように、横偏向方式の映像信号を縦偏向方式の映像信号に変換した場合、１ラインのライン走査期間に対するライン帰線期間の割合が約２８．９％から約４．２％に減少する。
【００２４】
次に、縦偏向方式を用いたテレビジョン装置の偏向回路について説明する。
横偏向方式のテレビジョン装置では、垂直偏向よりも高い周波数で水平偏向が行われる。そのため、横偏向方式のテレビジョン装置の水平偏向回路は、高い周波数の水平偏向電流を供給することができるよう設計されている。
【００２５】
一方、縦偏向方式を用いたテレビジョン装置では、水平偏向よりも高い周波数で垂直偏向が行われる。そのため、縦偏向方式のテレビジョン装置の垂直偏向回路として横偏向方式のテレビジョン装置の水平偏向回路が用いられ、縦偏向方式のテレビジョン装置の水平偏向回路として横偏向方式のテレビジョン装置の垂直偏向回路が用いられる。
【００２６】
図２６は横偏向方式を用いたテレビジョン装置の水平偏向回路を説明するための図である。
【００２７】
図２６に示す水平偏向回路は、水平ドライブ回路１８０１、水平ドライブトランス１８０２、スイッチング素子１８０３、ダンパーダイオード１８０４、共振容量１８０５、水平偏向ヨーク１８０６、フライバックトランス１８０８、ダイオード１８０９および抵抗１８０７，１８１０，１８１１を含む。
【００２８】
水平偏向回路の水平ドライブ回路１８０１には、水平同期信号ＨＨ１が入力される。水平ドライブ回路１８０１は、入力された水平同期信号ＨＨ１に基づいて水平ドライブトランス１８０２を介してスイッチング素子１８０３のベースにパルス電圧を与える。
【００２９】
スイッチング素子１８０３は、与えられたパルス電圧に応じてスイッチング動作を行い、ダンパーダイオード１８０４および共振容量１８０５の働きにより、鋸歯状の水平偏向電流を水平偏向ヨーク１８０６に供給する。そして、水平偏向ヨーク１８０６から発生された磁界により電子ビームが水平方向に偏向される。
【００３０】
また、電子ビームが１ラインの水平方向の走査を終了し、走査開始点に戻るまでのライン帰線期間において、共振容量１８０５の働きにより水平偏向ヨーク１８０６にフライバックパルスと呼ばれる高電圧パルスが発生する。
【００３１】
このフライバックパルスは、フライバックトランス１８０８に与えられる。フライバックトランス１８０８は、与えられたフライバックパルスを昇圧し、ダイオード１８０９を介して出力する。昇圧されたフライバックパルスは、受像管にアノード電圧として供給されるとともに、抵抗１８１０，１８１１により分割され、抵抗分割された電圧が受像管にフォーカス電圧として供給される。
【００３２】
図２７（ａ）はスイッチング素子１８０３のコレクタ電流の波形図であり、図２７（ｂ）はスイッチング素子１８０３のコレクタ電圧の波形図である。図２７において、Ｈｓはライン走査期間を示し、Ｈｆはライン帰線期間を示す。なお、スイッチング素子１８０３のコレクタ電圧がフライバックパルスに相当する。
【００３３】
図２７（ａ）に示すように、スイッチング素子１８０３のコレクタ電流はライン走査期間Ｈｓの途中より上昇し、ライン帰線期間Ｈｆの開始点で最大値を示す。そして、コレクタ電流は、ライン帰線期間Ｈｆの開始点から所定の時間Ｔｃ経過後に０となる。
【００３４】
一方、図２７（ｂ）に示すように、スイッチング素子１８０３のコレクタ電圧は、ライン帰線期間Ｈｆの開始点から上昇し、ライン帰線期間Ｈｆの開始点から所定の時間Ｔｃ経過後にピーク値Ｖｃｐを示し、ライン帰線期間Ｈｆの終了点で０となる。
【００３５】
ここで、横偏向方式における電力損失は、図２７に示すスイッチング素子１８０３のコレクタ電流とコレクタ電圧との積の時間積分を１周期の時間で除算した値に相当する。すなわち、コレクタ電流の波形の斜線部分６０１とコレクタ電圧の波形の斜線部分６０２との積の時間積分を１周期の時間で除算した値が電力損失となる。そのため、スイッチング素子１８０３のコレクタ電圧のピーク値Ｖｃｐが高くなったり、ライン帰線期間Ｈｆ内でコレクタ電流が流れる時間Ｔｃがライン帰線期間Ｈｆ内に占める割合が増加すると電力損失が増加する。
【００３６】
スイッチング素子１８０３のコレクタ電圧のピーク値Ｖｃｐは次式で表される。
【００３７】
Ｖｃｐ＝｛（π／２）×（Ｈｓ／Ｈｆ）＋１｝×Ｂ  …（３）
ここで、Ｈｆはライン帰線期間を示し、Ｈｓはライン走査期間を示し、Ｂは水平偏向回路の電源電圧を示す。
【００３８】
式（３）によれば、コレクタ電圧のピーク値Ｖｃｐは、ライン走査期間Ｈｓとライン帰線期間Ｈｆとの比（Ｈｓ／Ｈｆ）に比例する。そのため、ライン走査期間Ｈｓとライン帰線期間Ｈｆとの比（Ｈｓ／Ｈｆ）を大きくなればコレクタ電圧のピーク値Ｖｃｐが高くなり、電力損失が増加する。
【００３９】
しかしながら、横偏向方式の映像信号を縦偏向方式の映像信号に変換した場合、上記のように、ライン走査期間Ｈｓに対するライン帰線期間Ｈｆの割合が減少する。その結果、上式（３）からスイッチング素子１８０３のコレクタ電圧のピーク値Ｖｃｐが上昇して電力損失が増加する。
【００４０】
また、画面が横長であるので、横偏向方式の映像信号を縦偏向方式の映像信号に変換した場合、縦偏向方式の垂直偏向周波数は、横偏向方式の水平偏向周波数よりも大きくなる。そのため、縦偏向方式における垂直走査期間は、横偏向方式における水平走査期間よりも短くなる。この場合でも、帰線期間Ｈｆ内でコレクタ電流が流れる時間Ｔｃはほぼ一定の値を示す。したがって、横偏向方式の映像信号を縦偏向方式の映像信号に変換した場合、たとえライン帰線期間Ｈｆとライン走査期間Ｈｓとの比率が一定であったとしても、ライン帰線期間Ｈｆが短くなるのでコレクタ電流が流れる時間Ｔｃがライン帰線期間Ｈｆ内に占める割合が増加することとなる。その結果、電力損失が増加する。
【００４１】
本発明の目的は、長軸方向偏向方式の映像信号から短軸方向偏向方式の映像信号への変換によって生じる電力損失の増加を抑制することができる映像信号処理回路およびそれを備えた映像表示装置を提供することである。
【００４２】
【課題を解決するための手段】
以下の説明において、画面上の対角位置に表示開始点および表示終了点が設定されている場合に、短軸偏向方式における長軸方向のフィールド走査期間とは、電子ビームが表示開始点から短軸方向に沿って走査および帰還されつつ長軸方向に走査し、表示終了点に達するまでの期間を示し、短軸偏向方式における長軸方向のフィールド帰線期間とは、電子ビームが表示終了点から表示開始点に帰還するまでの期間を示す。また、短軸偏向方式における短軸方向のライン走査期間とは、画面上の短軸方向に沿って電子ビームが１ラインの開始点から短軸方向に沿って１ラインの終了点まで走査される期間を示し、短軸偏向方式における短軸方向のライン帰線期間とは、電子ビームが１ラインの終了点から１ラインの開始点に帰還するまでの期間を示す。
【００４３】
一方、画面上の対角位置に表示開始点および表示終了点が設定されている場合に、長軸偏向方式における短軸方向のフィールド走査期間とは、電子ビームが表示開始点から長軸方向に沿って走査および帰還されつつ短軸方向に走査し、表示終了点に達するまでの期間を示し、長軸偏向方式における短軸方向のフィールド帰線期間とは、電子ビームが表示終了点から表示開始点に帰還するまでの期間を示す。また、長軸偏向方式における長軸方向のライン走査期間とは、画面上の長軸方向に沿って電子ビームが１ラインの開始点から長軸方向に沿って１ラインの終了点まで走査される期間を示し、長軸偏向方式における長軸方向のライン帰線期間とは、電子ビームが１ラインの終了点から１ラインの開始点に帰還するまでの期間を示す。
【００４４】
（１）第１の発明
第１の発明に係る映像信号処理回路は、長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、映像信号を記憶するための記憶手段と、長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号を記憶手段にデータとして書き込む書き込み手段と、記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号を得る読み出し手段と、読み出し手段により得られた短軸偏向方式の映像信号の短軸方向におけるデータ数を補間処理により減少させる補間処理手段と、補間処理手段により減少されたデータ数に応じて偏向装置により画面の短軸方向に沿って走査される電子ビームのライン走査期間を設定するとともに偏向装置により画面の短軸方向に沿って帰還される電子ビームのライン帰線期間を設定する偏向装置設定手段とを備えたものである。
【００４５】
第１の発明に係る映像信号処理回路においては、長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号が記憶手段にデータとして書き込まれる。
【００４６】
記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号が読み出し手段により得られる。
【００４７】
読み出し手段により得られた短軸偏向方式の映像信号の短軸方向におけるデータ数が補間処理手段により減少される。減少されたデータ数に応じて偏向装置により画面の短軸方向に沿って走査される電子ビームのライン走査期間が偏向装置設定手段により設定されるとともに偏向装置により画面の短軸方向に沿って帰還される電子ビームのライン帰線期間が偏向装置設定手段により設定される。
【００４８】
このように、本実施の形態の映像信号処理回路では、短軸偏向方式において短軸方向の偏向電流により定まる短軸方向のライン走査期間が長軸偏向方式における短軸方向のフィールド走査期間に比べて短く設定され、かつ短軸偏向方式における短軸方向の偏向電流により定まる短軸方向のライン帰線期間が長軸偏向方式における短軸方向のフィールド帰線期間に比べて長く設定された場合に、補間処理手段により短軸偏向方式の映像信号における短軸方向のデータ数が低減されることにより、短軸方向の短縮されたライン走査期間において映像が表示され、かつ短軸方向の伸張されたライン帰線期間において映像が表示されない。
【００４９】
したがって、短軸方向のライン走査期間に対するライン帰線期間の割合が増加することによりフライバックパルスのピーク電圧値の増加が防止される。また、短軸方向のライン帰線期間が増加することにより短軸方向のライン帰線期間においてスイッチング素子のコレクタ電流が流れる時間の占める割合の増加が抑制される。これらの結果、フライバックトランスにおける電力損失の増加が抑制される。
【００５０】
（２）第２の発明
第２の発明に係る映像信号処理回路は、長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、映像信号を記憶するための記憶手段と、長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号を第１のサンプリング信号に応答して記憶手段にデータとして書き込む書き込み手段と、記憶手段に記憶された長軸方向のライン走査期間および短軸方向のフィールド走査期間のデータを第２のサンプリング信号に応答して短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号を得る読み出し手段と、第２のサンプリング信号の周波数を第１のサンプリング信号の周波数よりも高く設定するサンプリング周波数設定手段と、サンプリング周波数設定手段により設定された第２のサンプリング信号の周波数に応じて偏向装置により画面の短軸方向に沿って走査される電子ビームのライン走査期間を設定するとともに偏向装置により画面の短軸方向に沿って帰還される電子ビームのライン帰線期間を設定する偏向装置設定手段とを備えたものである。
【００５１】
第２の発明に係る映像信号処理回路においては、長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号が第１のサンプリング信号に応答して記憶手段にデータとして書き込まれる。
【００５２】
記憶手段に記憶された長軸方向のライン走査期間および短軸方向のフィールド走査期間のデータが第２のサンプリング信号に応答して短軸方向に沿った順に読み出されるとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号が読み出し手段により得られる。
【００５３】
第２のサンプリング信号の周波数がサンプリング周波数設定手段により第１のサンプリング信号の周波数よりも高く設定され、設定された第２のサンプリング信号の周波数に応じて偏向装置により画面の短軸方向に沿って走査される電子ビームのライン走査期間が偏向装置設定手段により設定されるとともに偏向装置により画面の短軸方向に沿って帰還される電子ビームのライン帰線期間が偏向装置設定手段により設定される。
【００５４】
このように、第２の発明に係る映像信号処理回路では、短軸偏向方式において短軸方向の偏向電流により定まる短軸方向のライン走査期間が長軸偏向方式における短軸方向のフィールド走査期間に比べて短く設定され、かつ短軸偏向方式における短軸方向の偏向電流により定まる短軸方向のライン帰線期間が長軸偏向方式における短軸方向のフィールド帰線期間に比べて長く設定された場合に、短軸偏向方式の映像信号のサンプリング周波数が長軸偏向方式の映像信号のサンプリング周波数よりも高くなることにより、短軸方向の短縮されたライン走査期間において映像が表示され、かつ短軸方向の伸張されたライン帰線期間において映像が表示されない。
【００５５】
したがって、短軸方向のライン走査期間に対するライン帰線期間の割合が増加することによりフライバックパルスのピーク電圧値の増加が防止される。また、短軸方向のライン帰線期間が増加することにより短軸方向のライン帰線期間においてスイッチング素子のコレクタ電流が流れる時間の占める割合の増加が抑制される。これらの結果、フライバックトランスにおける電力損失の増加が抑制される。
【００５６】
（３）第３の発明
第３の発明に係る映像信号処理回路は、長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、映像信号を記憶するための記憶手段と、長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号を記憶手段にデータとして書き込む書き込み手段と、記憶手段に記憶された映像信号の長軸方向におけるデータ数を補間処理により増加させ記憶手段に記憶させる第１の補間処理手段と、記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号を得る読み出し手段と、読み出し手段により得られた短軸偏向方式の映像信号の短軸方向におけるデータ数を補間処理により減少させる第２の補間処理手段と、第２の補間処理手段により減少されたデータ数に応じて偏向装置により画面の短軸方向に沿って走査される電子ビームのライン走査期間を設定するとともに偏向装置により画面の短軸方向に沿って帰還される電子ビームのライン帰線期間を設定し、第１の補間処理手段により増加されたデータ数に応じて偏向装置により画面の長軸方向に走査される電子ビームのフィールド走査期間を設定するとともに偏向装置により画面の長軸方向に帰還される電子ビームのフィールド帰線期間を設定する偏向装置設定手段とを備えたものである。
【００５７】
第３の発明に係る映像信号処理回路においては、長軸方向においてライン走査期間およびライン帰線期間を有しかつ短軸方向においてフィールド走査期間およびフィールド帰線期間を有する長軸偏向方式の映像信号のうち長軸方向のライン走査期間および短軸方向のフィールド走査期間の映像信号が記憶手段にデータとして書き込まれる。
【００５８】
記憶手段に記憶された映像信号の長軸方向におけるデータ数が第１の補間処理手段により増加され記憶手段に記憶される。記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向においてライン走査期間およびライン帰線期間を有しかつ長軸方向においてフィールド走査期間およびフィールド帰線期間を有する短軸偏向方式の映像信号が読み出し手段により得られる。
【００５９】
読み出し手段により得られた短軸偏向方式の映像信号の短軸方向におけるデータ数が第２の補間処理手段により減少され、第２の補間処理手段により減少されたデータ数に応じて偏向装置により画面の短軸方向に沿って走査される電子ビームのライン走査期間が偏向装置設定手段により設定されるとともに偏向装置により画面の短軸方向に沿って帰還される電子ビームのライン帰線期間が偏向装置設定手段により設定され、第１の補間処理手段により増加されたデータ数に応じて偏向装置により画面の長軸方向に走査される電子ビームのフィールド走査期間が偏向装置設定手段により設定されるとともに偏向装置により画面の長軸方向に帰還される電子ビームのフィールド帰線期間が偏向装置設定手段により設定される。
【００６０】
このように、第３の発明に係る映像信号処理回路では、短軸偏向方式において短軸方向の偏向電流により定まる短軸方向のライン走査期間が長軸偏向方式における短軸方向のフィールド走査期間に比べて短く設定され、かつ短軸偏向方式における短軸方向の偏向電流により定まる短軸方向のライン帰線期間が長軸偏向方式における短軸方向のフィールド帰線期間に比べて長く設定された場合に、短軸方向の補間処理により短軸偏向方式の映像信号における短軸方向のライン走査期間のサンプル数が低減されることにより、短軸方向の短縮されたライン走査期間において映像が表示され、かつ短軸方向の伸張されたライン帰線期間において映像が表示されない。
【００６１】
したがって、短軸方向のライン走査期間に対するライン帰線期間の割合が増加することによりフライバックパルスのピーク電圧値の増加が防止される。また、短軸方向のライン帰線期間が増加することにより短軸方向のライン帰線期間においてスイッチング素子のコレクタ電流が流れる時間の占める割合の増加が抑制される。これらの結果、フライバックトランスにおける電力損失の増加が抑制される。
【００６２】
また、短軸偏向方式において長軸方向の偏向電流により定まる長軸方向のフィールド走査期間が長軸偏向方式における長軸方向のライン走査期間に比べて長く設定され、かつ短軸偏向方式における長軸方向の偏向電流により定まる長軸方向のフィールド帰線期間が長軸偏向方式における長軸方向のライン帰線期間に比べて短く設定された場合に、長軸方向の補間処理により短軸偏向方式の映像信号における長軸方向のフィールド走査期間のサンプル数が増加することにより、長軸方向の伸張されたフィールド走査期間において映像が表示され、かつ長軸方向の短縮されたフィールド帰線期間において映像が表示されない。したがって、輝度の向上が図られる。
【００６３】
（４）第４の発明
第４の発明に係る映像信号処理回路は、長軸偏向方式の映像信号を短軸偏向方式の映像信号に変換するとともに、電子ビームを長軸および短軸を有する画面上の短軸方向に沿って走査および帰還させつつ１フィールドで長軸方向に走査および帰還させる偏向装置を制御する映像信号処理回路であって、映像信号を記憶するための記憶手段と、長軸方向において第１のサンプル数からなるライン走査期間および第２のサンプル数からなるライン帰線期間を有しかつ短軸方向において第１のライン数からなるフィールド走査期間および第２のライン数からなるフィールド帰線期間を有する長軸偏向方式の映像信号のうち長軸方向のライン走査期間および短軸方向のフィールド走査期間の映像信号を記憶手段にデータとして書き込む書き込み手段と、記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向において第３のサンプル数からなるライン走査期間および第４のサンプル数からなるライン帰線期間を有しかつ長軸方向において第３のライン数からなるフィールド走査期間および第４のライン数からなるフィールド帰線期間を有する短軸偏向方式の映像信号を得る読み出し手段と、第４のサンプル数を第２のライン数よりも大きく設定し、第４のライン数を第２のサンプル数よりも小さく設定するライン／サンプル設定手段と、第３のサンプル数に応じて偏向装置により画面の短軸方向に沿って走査される電子ビームのライン走査期間を設定するとともにライン／サンプル設定手段により設定された第４のサンプル数に応じて偏向装置により画面の短軸方向に沿って帰還される電子ビームのライン帰線期間を設定し、第３のライン数に応じて偏向装置により画面の長軸方向に走査される電子ビームのフィールド走査期間を設定するとともにライン／サンプル設定手段により設定された第４のライン数に応じて偏向装置により画面の長軸方向に帰還される電子ビームのフィールド帰線期間を設定する偏向装置設定手段とを備えたものである。
【００６４】
第４の発明に係る映像信号処理回路においては、長軸方向において第１のサンプル数からなるライン走査期間および第２のサンプル数からなるライン帰線期間を有しかつ短軸方向において第１のライン数からなるフィールド走査期間および第２のライン数からなるフィールド帰線期間を有する長軸偏向方式の映像信号のうち長軸方向のライン走査期間および短軸方向のフィールド走査期間の映像信号が記憶手段にデータとして書き込まれる。
【００６５】
記憶手段に記憶された長軸方向のライン走査期間および短軸方向のフィールド走査期間のデータを短軸方向に沿った順に読み出すとともに短軸方向のライン帰線期間および長軸方向のフィールド帰線期間には読み出しを行わないことにより短軸方向において第３のサンプル数からなるライン走査期間および第４のサンプル数からなるライン帰線期間を有しかつ長軸方向において第３のライン数からなるフィールド走査期間および第４のライン数からなるフィールド帰線期間を有する短軸偏向方式の映像信号が読み出し手段により得られる。ライン／サンプル設定手段により第４のサンプル数が第２のライン数よりも大きく設定され、第４のライン数が第２のサンプル数よりも小さく設定される。
【００６６】
第３のサンプル数に応じて偏向装置により画面の短軸方向に沿って走査される電子ビームのライン走査期間が設定されるとともにライン／サンプル設定手段により設定された第４のサンプル数に応じて偏向装置により画面の短軸方向に沿って帰還される電子ビームのライン帰線期間が偏向装置設定手段により設定され、第３のライン数に応じて偏向装置により画面の長軸方向に走査される電子ビームのフィールド走査期間が設定されるとともにライン／サンプル設定手段により設定された第４のライン数に応じて偏向装置により画面の長軸方向に帰還される電子ビームのフィールド帰線期間が偏向装置設定手段により設定される。
【００６７】
このように、第４の発明に係る映像信号処理回路では、短軸偏向方式において長軸方向の偏向電流により定まる長軸方向のフィールド帰線期間が長軸偏向方式における長軸方向のライン帰線期間に比べて短く設定され、かつ短軸偏向方式における短軸方向の偏向電流により定まる短軸方向のライン帰線期間が長軸偏向方式における短軸方向のフィールド帰線期間に比べて長く設定された場合に、短軸偏向方式の映像信号における長軸方向のフィールド帰線期間のライン数が長軸偏向方式の映像信号における長軸方向のライン帰線期間のサンプル数よりも減少し、かつ短軸偏向方式の映像信号における短軸方向のライン帰線期間のサンプル数が長軸偏向方式の映像信号における短軸方向のフィールド帰線期間のライン数よりも増加することにより、短軸方向のライン走査期間において映像が表示され、かつ短軸方向の伸張されたライン帰線期間において映像が表示されない。
【００６８】
したがって、短軸方向のライン走査期間に対するライン帰線期間の割合が増加することによりフライバックパルスのピーク電圧値の増加が防止される。また、短軸方向のライン帰線期間が増加することにより短軸方向のライン帰線期間においてスイッチング素子のコレクタ電流が流れる時間の占める割合の増加が抑制される。これらの結果、フライバックトランスにおける電力損失の増加が抑制される。
【００６９】
また、短軸偏向方式の映像信号における長軸方向のフィールド走査期間および短軸方向のライン走査期間が長軸偏向方式の映像信号における長軸方向のライン走査期間および短軸方向のフィールド走査期間と等しくなる。したがって、輝度の低下が生じない。さらに、映像信号の補間処理およびサンプリング周波数の変更が不要であるので、構成が複雑化しない。
【００７０】
（５）第５の発明
第５の発明に係る映像信号表示装置は、長軸偏向方式の映像信号に基づいて短軸偏向方式に従って映像を表示する映像表示装置であって、請求項１〜４のいずれかに記載の映像信号処理回路と、映像信号処理回路により得られる短軸偏向方式の映像信号に基づいて電子ビームを画面に照射する表示手段と、偏向装置とを備え、偏向装置は、第１の偏向コイルと、偏向装置設定手段により設定されたライン走査期間およびライン帰線期間に応じて電子ビームを短軸方向に偏向させる短軸偏向電流を第１の偏向コイルに供給する第１の偏向回路と、第２の偏向コイルと、電子ビームを長軸方向に偏向させる長軸偏向電流を第２の偏向コイルに供給する第２の偏向回路とを備えたものである。
【００７１】
第５の発明に係る映像表示装置においては、第１の偏向回路により電子ビームを短軸方向に偏向させる短軸偏向電流が第１の偏向コイルに供給され、電子ビームを長軸方向に偏向させる長軸偏向電流が第２の偏向コイルに供給され、請求項１〜４のいずれかに記載の映像信号処理回路により得られる短軸偏向方式の映像信号に基づいて表示手段により電子ビームが画面に照射される。
【００７２】
この場合、請求項１〜４のいずれかに記載の映像信号処理回路が用いられているので、短軸方向のライン走査期間に対するライン帰線期間の割合が増加することによりフライバックパルスのピーク電圧値の増加が防止される。
【００７３】
また、短軸方向のライン帰線期間が増加することにより短軸方向のライン帰線期間においてスイッチング素子のコレクタ電流が流れる時間の占める割合の増加が抑制される。したがって、フライバックトランスにおける電力損失の増加が抑制される。
【００７４】
（６）第６の発明
第６の発明に係る映像信号表示装置は、第５の発明に係る映像信号表示装置の構成において、偏向装置設定手段は、ライン走査期間とライン帰線期間との割合を変更可能に設定され、第１の偏向回路は、偏向装置設定手段によるライン走査期間とライン帰線期間との割合の変更に応じて短軸偏向電流のライン走査期間とライン帰線期間との割合を変更する第１の変更手段を含むものである。
【００７５】
この場合、偏向装置設定手段によるライン走査期間とライン帰線期間との割合の変更に応じて第１の変更手段により短軸偏向電流のライン走査期間とライン帰線期間との割合を変更することができる。
【００７６】
（７）第７の発明
第７の発明に係る映像表示装置は、第５または第６の発明に係る映像表示装置の構成において、映像信号処理回路は、請求項３または４に記載の映像信号処理回路であり、偏向装置設定手段は、フィールド走査期間とフィールド帰線期間との割合を変更可能に設定され、第２の偏向回路は、偏向装置設定手段によるフィールド走査期間とフィールド帰線期間との割合の変更に応じて長軸偏向電流のフィールド走査期間とフィールド帰線期間との割合を変更する第２の変更手段を含むものである。
【００７７】
この場合、偏向装置設定手段によるフィールド走査期間とフィールド帰線期間との割合の変更に応じて第２の変更手段により長軸偏向電流のフィールド走査期間とフィールド帰線期間との割合を変更することができる。
【００７８】
【発明の実施の形態】
以下、第１の実施の形態に係る映像表示装置について図面を用いて詳細に説明する。以下の実施の形態では、画面が横長であるものとして説明を行う。この場合、画面の短軸方向は縦方向であり、長軸方向は横方向である。また、以下、説明のおいて、垂直偏向が短軸方向の偏向に相当し、水平偏向が長軸方向の偏向に相当する。
【００７９】
（第１の実施の形態）
図１は本発明の第１の実施の形態に係る映像表示装置の構成を示すブロック図である。
【００８０】
図１の映像表示装置は、映像信号処理回路１、色信号再生回路２、同期信号分離回路３、垂直偏向回路６、水平偏向回路７およびＣＲＴ（陰極線管）８を備える。ＣＲＴ８は、横長の長方形の表示画面８ａを有する。このＣＲＴ８には、垂直偏向ヨークＬＶおよび水平偏向ヨークＬＨが取り付けられている。
【００８１】
映像信号処理回路１は、横偏向方式の映像信号ＶＤＨを縦偏向方式の映像信号ＶＤＶに変換して色信号再生回路２に出力する。なお、映像信号処理回路１の構成および動作については後述する。色信号再生回路２は、映像信号処理回路１から出力される映像信号ＶＤＶから輝度信号および色差信号を分離し、輝度信号および色差信号から色信号を再生し、ＣＲＴ８に表示信号Ｃとして与える。それにより、ＣＲＴ８の表示画面８ａ上に映像が表示される。
【００８２】
同期信号分離回路３は、横偏向方式の映像信号ＶＤＨから横偏向方式の水平同期信号ＨＨ１および垂直同期信号ＶＶ１を分離し、映像信号処理回路１に与える。
【００８３】
映像信号処理回路１は、横偏向方式の垂直同期信号ＶＶ１および水平同期信号ＨＨ１を縦偏向方式の垂直同期信号ＶＶ２および水平同期信号ＨＨ２に変換し、さらに変換した垂直同期信号ＶＶ２および水平同期信号ＨＨ２に基づいて後述する偏向信号ＤＥおよび駆動パルスＤＰを生成し、駆動パルスＤＰを垂直偏向回路６に与えるとともに偏向信号ＤＥを水平偏向回路７に与える。また、映像信号処理回路１は、後述する切替信号ＳＷ１〜ＳＷｎを生成し、垂直偏向回路６に与える。
【００８４】
垂直偏向回路６は、切替信号ＳＷ１〜ＳＷｎおよび駆動パルスＤＰに基づいて垂直偏向電流ＩＶ２を生成し、垂直同期信号ＶＶ２に同期してＣＲＴ８において電子ビームを縦方向（垂直方向）に偏向するために鋸歯状の垂直偏向電流ＩＶ２を垂直偏向コイルＬＶに供給する。
【００８５】
垂直偏向回路６により生成される垂直偏向電流ＩＶ２により定まる垂直方向のライン走査期間は従来の横偏向方式における垂直方向のフィールド走査期間に比べて短縮され、垂直方向のライン帰線期間は従来の横偏向方式における垂直方向のフィールド帰線期間に比べて伸張されている。
【００８６】
なお、本実施の形態においては、後述する設定値Ｖ３に応じて垂直偏向電流ＩＶ２におけるライン帰線期間の長さが可変に設定される。
【００８７】
水平偏向回路７は、後述する偏向信号ＤＥに同期してＣＲＴ８において電子ビームを横方向（水平方向）に偏向するために鋸歯状の水平偏向電流ＩＨ２を水平偏向コイルＬＨに供給する。
【００８８】
図２は図１の主として映像信号処理回路１の構成を示すブロック図である。
図２の映像信号処理回路１は、有効走査期間書き込み制御回路（以下、書き込み制御回路と略記する。）４０１、Ａ／Ｄ（アナログ／デジタル）コンバータ４０２、メモリ４０３、同期信号変換回路４０４、短軸方向読み出し制御回路（以下、読み出し制御回路と略記する。）４０５、設定値決定回路４０６、映像信号補間処理回路（以下、補間処理回路と略記する。）４０７、Ｄ／Ａ（デジタル／アナログ）コンバータ４０８、電圧変換テーブル４２０、偏向信号発生ＩＣ（Ｉｎｔｅｇｒａｔｅｄ  Ｃｉｒｃｕｉｔ：集積回路）４２１、およびＯＮ／ＯＦＦ発生テーブル４２２を含む。また、垂直偏向回路６は、共振周波数切替回路４２３を含む。
【００８９】
書き込み制御回路４０１および同期信号変換回路４０４には、図１の同期信号分離回路３より横偏向方式の垂直同期信号ＶＶ１および水平同期信号ＨＨ１が入力される。
【００９０】
同期信号変換回路４０４は、入力された横偏向方式の垂直同期信号ＶＶ１および水平同期信号ＨＨ１を縦偏向方式の垂直同期信号ＶＶ２および水平同期信号ＨＨ２に変換し、縦偏向方式の垂直同期信号ＶＶ２および水平同期信号ＨＨ２を読み出し制御回路４０５に与える。また、同期信号変換回路４０４は、縦偏向方式の垂直同期信号ＶＶ２および水平同期信号ＨＨ２を偏向信号発生ＩＣ４２１に与える。
【００９１】
書き込み制御回路４０１は、入力された横偏向方式の垂直同期信号ＶＶ１および水平同期信号ＨＨ１に応答して、書き込みサンプリング信号ＷＳをＡ／Ｄコンバータ４０２に与えるとともに、書き込みクロック信号ＷＣＫおよび書き込みアドレス信号ＷＡをメモリ４０３に与える。
【００９２】
Ａ／Ｄコンバータ４０２には、アナログ信号である横偏向方式の映像信号ＶＤＨが与えられる。Ａ／Ｄコンバータ４０２は、書き込みサンプリング信号ＷＳに同期してアナログ信号である映像信号ＶＤＨをサンプリングし、サンプリングした映像信号ＶＤＨをデジタルの映像信号に変換し、デジタルの映像信号をメモリ４０３に与える。以下、Ａ／Ｄコンバータ４０２より出力されるデジタルの映像信号をサンプルと呼ぶ。
【００９３】
書き込み制御回路４０１は、Ａ／Ｄコンバータ４０２より出力されるサンプルが垂直方向のフィールド走査期間でかつ水平方向のライン走査期間のサンプルであるか否かを判定する。書き込み制御回路４０１は、Ａ／Ｄコンバータ４０２より出力されるサンプルがライン走査期間およびフィールド走査期間のサンプルである場合に書き込みクロック信号ＷＣＫおよび書き込みアドレス信号ＷＡをメモリ４０３に与える。それにより、垂直方向のフィールド走査期間および水平方向のライン走査期間のサンプルが書き込みアドレス信号ＷＡにより指定されるメモリ４０３のアドレス位置に書き込まれる。一方、書き込み制御回路４０１は、Ａ／Ｄコンバータ４０２より出力されるサンプルがライン走査期間およびフィールド走査期間のサンプルでない場合には書き込みクロック信号ＷＣＫおよび書き込みアドレス信号ＷＡをメモリ４０３に与えない。それにより、垂直方向のフィールド帰線期間および水平方向のライン帰線期間のサンプルはメモリ４０３には書き込まれない。
【００９４】
読み出し制御回路４０５は、同期信号変換回路４０４より与えられた縦偏向方式の垂直同期信号ＶＶ２および水平同期信号ＨＨ２に応答して読み出しクロック信号ＲＣＫおよび読み出しアドレス信号ＲＡをメモリ４０３に与えるとともに、読み出しサンプリング信号ＲＳをＤ／Ａコンバータ４０８に与える。
【００９５】
この場合、読み出し制御回路４０５は、表示画面８ａの縦方向に沿った順にサンプルがメモリ４０３から読み出されるように読み出しアドレス信号ＲＡを変化させる。また、読み出し制御回路４０５は、垂直方向のライン走査期間および水平方向のフィールド走査期間のサンプルがメモリ４０３から読み出されるように読み出しクロック信号ＲＣＫおよび読み出しアドレス信号ＲＡをメモリ４０３に与える。それにより、縦偏向方式に従って垂直方向のラインの走査期間および水平方向のフィールド走査期間のサンプルが読み出しアドレス信号ＲＡにより指定されるメモリ４０３のアドレス位置から読み出される。メモリ４０３から読み出されたサンプルは、補間処理回路４０７に与えられる。
【００９６】
設定値決定回路４０６は、予め内部にルックアップテーブル等のテーブルより横偏向方式の映像信号ＶＤＨの垂直方向における全走査線の本数（全ライン数）と横偏向方式の映像信号ＶＤＨの垂直方向のフィールド走査期間におけるライン数および複数の設定値との関係を記憶している。ここで、設定値Ｖ３は、後述する短縮された垂直方向のライン走査期間に相当する。したがって、設定値Ｖ３は、横方向偏向方式における垂直方向のフィールド走査期間のライン数よりも小さい値に設定される。
【００９７】
設定値決定回路４０６は、入力される垂直同期信号ＶＶ１の周期を水平同期信号ＨＨ１の周期で除算することにより横偏向方式の映像信号ＶＤＨの垂直方向における全ライン数を算出し、全ライン数に対応する設定値Ｖ３をテーブルから抽出して補間処理回路４０７に与え、設定値Ｖ３と縦偏向方式における水平方向のフィールド走査期間に相当する設定値Ｈ１とを電圧変換テーブル４２０に与え、設定値Ｖ３をＯＮ／ＯＦＦ発生テーブル４２２に与える。
【００９８】
補間処理回路４０７は、設定値決定回路４０６より与えられる設定値Ｖ３に基づいて、メモリ４０３から読み出されるサンプルを用いた補間処理を行い、補間処理により得られたサンプルをＤ／Ａコンバータ４０８に与える。この場合、補間処理回路４０７は、垂直方向のライン走査期間のサンプルを用いた補間処理により垂直方向のライン走査期間のサンプル数を設定値Ｖ３に低減させる。
【００９９】
続いて、Ｄ／Ａコンバータ４０８は、読み出し制御回路４０５により与えられる読み出しサンプリング信号ＲＳに同期して、補間処理回路４０７により与えられたサンプルをデジタル−アナログ変換し、縦偏向方式の映像信号ＶＤＶを出力する。
【０１００】
電圧変換テーブル４２０は、与えられた設定値Ｖ３および設定値Ｈ１に基づいて制御電圧信号ＤＳを偏向信号発生ＩＣ４２１へ与える。
【０１０１】
偏向信号発生ＩＣ４２１は、電圧変換テーブル４２０から与えられた制御電圧信号ＤＳに基づいて縦偏向方式における垂直偏向回路６に駆動パルスＤＰを与え、水平偏向回路７に偏向信号ＤＥを与える。なお、垂直偏向回路６および水平偏向回路７の詳細については後述する。
【０１０２】
ＯＮ／ＯＦＦ発生テーブル４２２は、与えられた設定値Ｖ３に基づいて切替信号ＳＷ１〜ＳＷｎを生成し、垂直偏向回路６の共振周波数切替回路４２３に与える。共振周波数切替回路４２３は、切替信号ＳＷ１〜ＳＷｎに応じて垂直偏向回路６の共振周波数を切り替える。また、偏向信号発生ＩＣ４２１から与えられる駆動パルスＤＰのパルス幅は設定値Ｖ３に応じて可変となっている。したがって、垂直偏向電流ＩＶ２により定まる垂直方向のライン走査期間およびライン帰線期間が設定値Ｖ３に応じて調整される。
【０１０３】
図３は図２のメモリ４０３に書き込まれるサンプルのタイミングを示す図、図４は図２のメモリ４０３から読み出されるタイミングを示す図、図５は図２の補間処理回路４０７から出力されるサンプルのタイミングを示す図である。
【０１０４】
図３において、Ｐは水平方向のライン走査期間、Ｑは水平方向のライン帰線期間、Ｒは水平走査期間を示し、Ｓは垂直方向のフィールド走査期間、Ｔは垂直方向のフィールド帰線期間、Ｕは垂直走査期間を示す。図４および図５において、Ｐは水平方向のフィールド走査期間、Ｑは水平方向のフィールド帰線期間、Ｒは水平走査期間を示し、Ｓは垂直方向のライン走査期間、Ｔは垂直方向のライン帰線期間、Ｕは垂直走査期間を示す。また、Ｓ１は短縮されたライン走査期間を示し、Ｔ１は伸張された垂直方向のライン帰線期間を示す。
【０１０５】
図３において、実線の丸印はメモリ４０３にサンプルが書き込まれるタイミングを示し、矢印はメモリ４０３へのサンプルの書き込み順序を示す。図４において、実線の丸印はメモリ４０３からサンプルが読み出されるタイミングを示し、矢印はメモリ４０３からのサンプルの読み出し順序を示す。図５において、実線の丸印は補間処理回路４０７からサンプルが出力されるタイミングを示し、矢印は補間処理回路４０７からのサンプルの出力順序を示す。なお、図３および図４において、破線の丸印は便宜上ライン帰線期間およびフィールド帰線期間の長さを示すために書き込みサンプリング信号ＷＳのタイミングを示す。また、図５において、破線の丸印は便宜上ライン帰線期間およびフィールド帰線期間の長さを示すために読み出しサンプリング信号ＲＳのタイミングを示す。
【０１０６】
以下の説明において、また、各サンプルのタイミングを（垂直走査におけるタイミング，水平走査におけるタイミング）で表す。例えば、図３において、第ｍラインの第ｋ番目のサンプルのタイミングを（ｍ，ｋ）で表す。
【０１０７】
まず、図３において、横偏向方式の映像信号ＶＤＨにおける水平走査期間Ｒの全サンプル数をＨ２とし、水平方向のライン走査期間Ｐのサンプル数をＨ１とする。また、横偏向方式の映像信号ＶＤＨにおける垂直走査期間Ｕのライン数をＶ２とし、垂直方向のフィールド走査期間Ｓのライン数をＶ１とする。
【０１０８】
書き込み制御回路４０１は、Ａ／Ｄコンバータ４０２より出力されるサンプルが垂直方向のフィールド走査期間Ｓでかつ水平方向のライン走査期間Ｐのサンプルである場合に書き込みクロック信号ＷＣＫおよび書き込みアドレス信号ＷＡをメモリ４０３に与える。それにより、垂直方向のフィールド走査期間Ｓおよび水平方向のライン走査期間Ｐのサンプルが書き込みアドレス信号ＷＡにより指定されるメモリ４０３のアドレス位置に書き込まれる。一方、書き込み制御回路４０１は、Ａ／Ｄコンバータ４０２より出力されるサンプルが垂直方向のフィールド走査期間Ｓでかつ水平方向のライン走査期間Ｐのサンプルでない場合には書き込みクロック信号ＷＣＫおよび書き込みアドレス信号ＷＡをメモリ４０３に与えない。すでに書き込みの時点でライン走査期間およびフィールド走査期間でないデータは書き込みを行わない。
【０１０９】
図３の例では、サンプルがメモリ４０３にタイミング（１，１）、（１，２）、（１，３）、…（１，Ｈ１）、（２，１）、（２，２）、（２，３）、…（２，Ｈ１）、…（Ｖ１，１）、（Ｖ１，２）、（Ｖ１，３）、…（Ｖ１，Ｈ１）で順に書き込まれる。
【０１１０】
次に、図４に示すように、垂直方向に沿った順にサンプルがメモリ４０３から読み出されるように、読み出し制御回路４０５は、読み出しアドレス信号ＲＡを変化させる。この場合、読み出し制御回路４０５は、垂直方向のライン走査期間Ｓおよび水平方向のフィールド走査期間Ｐのサンプルがメモリ４０３から読み出されるように読み出しクロック信号ＲＣＫおよび読み出しアドレス信号ＲＡをメモリ４０３に与える。それにより、縦偏向方式に従って垂直方向のライン走査期間Ｓおよび水平方向のフィールド走査期間Ｐのサンプルが読み出しアドレス信号ＲＡにより指定されるメモリ４０３のアドレス位置から読み出される。メモリ４０３から読み出されたサンプルは、補間処理回路４０７に与えられる。縦偏向方式のデータを読み出して補間処理回路４０７に与える。
【０１１１】
図４の例では、サンプルがメモリ４０３からタイミング（１，１）、（２，１）、（３，１）、…（Ｖ１，１）、（１，２）、（２，２）、（３，２）、…（Ｖ１，２）、…（１，Ｈ１）、（２，Ｈ１）、（３，Ｈ１）、…（Ｖ１，Ｈ１）で順に読み出される。タイミング（Ｖ１＋１，１）〜（Ｖ２，１）、（Ｖ１＋１，２）〜（Ｖ２，２）、…（Ｖ１＋１，Ｈ１）〜（Ｖ２，Ｈ１）、…（１，Ｈ１＋１）〜（Ｖ２，Ｈ１＋１）、…（１，Ｈ２）〜（Ｖ２，Ｈ２）でメモリ４０３からサンプルが出力されない。
【０１１２】
補間処理回路４０７は、設定値決定回路４０６より与えられる設定値Ｖ３に基づいて、メモリ４０３から読み出されるサンプルを用いた補間処理を行い、垂直方向のライン走査期間Ｓ１のサンプル数を設定値Ｖ３に低減させ、補間処理により得られたサンプルをＤ／Ａコンバータ４０８に与える。
【０１１３】
図５の例では、補間処理回路４０７により得られたサンプルがタイミング（１，１）、（２，１）、（３，１）、…（Ｖ３，１）、（１，２）、（２，２）、（３，２）、…（Ｖ３，２）、…（１，Ｈ１）、（２，Ｈ１）、（３，Ｈ１）、…（Ｖ３，Ｈ１）で順に出力される。タイミング（Ｖ３＋１，１）〜（Ｖ２，１）、（Ｖ３＋１，２）〜（Ｖ２，２）、…（Ｖ３＋１，Ｈ１）〜（Ｖ２，Ｈ１）、…（１，Ｈ１＋１）〜（Ｖ２，Ｈ１＋１）…（１，Ｈ２）〜（Ｖ２，Ｈ２）で補間処理回路４０７からサンプルが出力されない。
【０１１４】
それにより、設定値Ｖ３に基づいて垂直偏向電流ＩＶ２により定まる垂直方向のライン帰線期間Ｔ１においてサンプルが出力されないため、ＣＲＴ８の画面に映像が表示されない。
【０１１５】
このように、垂直方向のライン走査期間のサンプル数がＶ１からＶ３に減少することにより、垂直方向の短縮されたライン走査期間Ｓ１において映像が表示され、垂直方向の伸張されたライン帰線期間Ｔ１において映像が表示されない。
【０１１６】
図６は図３に対応する横偏向方式の映像信号のライン走査期間およびライン帰線期間とフィールド走査期間およびフィールド帰線期間との具体例を示す模式図、図７は図４に対応する縦偏向方式の映像信号のライン走査期間およびライン帰線期間とフィールド走査期間およびフィールド帰線期間との具体例を示す模式図、図８は図５に対応する補間処理後の映像信号のライン走査期間およびライン帰線期間とフィールド走査期間およびフィールド帰線期間との具体例を示す模式図である。図６〜図８において、クロック数とは、書き込みサンプリング信号ＷＳ、書き込みクロック信号ＷＣＫ、読み出しクロック信号ＲＣＫおよび読み出しサンプリング信号ＲＳのパルス数を意味する。
【０１１７】
また、表２に図６の横偏向方式のライン走査期間およびライン帰線期間とフィールド走査期間およびフィールド帰線期間とを示し、表３に図８の補間処理後のライン走査期間およびライン帰線期間とフィールド走査期間およびフィールド帰線期間とを示す。
【０１１８】
【表２】
2004304654.tif 000004
【０１１９】
【表３】
2004304654.tif 000005
【０１２０】
ここでは、横偏向方式の映像信号が７５０ラインのプログレッシブ方式の映像信号である場合を考える。水平走査周波数は４５ｋＨｚであり、垂直走査周波数は６０Ｈｚである。
【０１２１】
図６および表２に示すように、垂直方向のライン走査期間Ｓは７２０ラインから構成され、垂直方向のライン期間Ｔは３０ラインから構成され、垂直走査期間Ｕは７５０ラインから構成される。したがって、垂直方向のライン走査期間Ｓは１６．００ｍｓであり、垂直方向のライン帰線期間Ｔは０．６７ｍｓであり、垂直走査期間Ｕは１６．７０ｍｓである。また、水平方向のフィールド走査期間Ｐは１２８０クロックから構成され、水平方向のフィールド帰線期間Ｑは３７０クロックから構成され、水平走査期間Ｒは１６５０クロックから構成される。したがって、水平方向のフィールド走査期間Ｐは１７．２４μｓであり、水平方向のフィールド帰線期間Ｑは４．９８μｓであり、水平走査期間Ｒは２２．２２μｓである。
【０１２２】
この場合、横偏向方式の映像信号ＶＤＨのサンプリング周波数（書き込みサンプリング信号ＷＳおよび書き込みクロック信号ＷＣＫの周波数）は４５ｋＨｚ×１６５０クロック＝７４．２５ＭＨｚである。
【０１２３】
図７に示す縦偏向方式の映像信号において、垂直方向のライン走査期間Ｓは７２０クロックから構成され、垂直方向のライン帰線期間Ｔは３０クロックから構成され、垂直走査期間Ｕは７５０クロックから構成される。また、水平方向のフィールド走査期間Ｐは１２８０ラインから構成され、水平方向のフィールド帰線期間Ｑは３７０ラインから構成され、水平走査期間Ｒは１６５０ラインから構成される。
【０１２４】
この場合、垂直走査周波数は９９ｋＨｚであり、水平走査周波数は６０Ｈｚである。
【０１２５】
ここで、垂直方向のライン帰線期間Ｔ１と垂直方向のライン走査期間Ｓ１との比ｒ１が次式のように予め設定される。本実施の形態では、比ｒ１は可変に設定することができる。
【０１２６】
ｒ１＝Ｔ１／Ｓ１
本例では、ｒ１＝Ｔ１／Ｓ１＝０．２８９となるように設定値Ｖ３を決定する。この設定値Ｖ３は短縮された垂直方向のライン走査期間Ｓ１に相当する。
【０１２７】
Ｔ１／Ｓ１＝（Ｕ−Ｓ１）／Ｓ１＝０．２８９
垂直走査期間Ｕは７５０クロックである。したがって、上式から垂直方向のライン走査期間Ｓ１は次式のようになる。
【０１２８】
Ｓ１＝Ｕ／（１＋０．２８９）＝７５０／１．２８９≒５８２［クロック］
したがって、設定値Ｖ３は５８２となり、上記の補間処理により垂直方向のライン走査期間Ｓ１のクロック数が５８２に低減される。
【０１２９】
その結果、図８および表３に示すように、垂直方向のライン走査期間Ｓ１は５８２クロックから構成され、垂直方向のライン帰線期間Ｔ１は１６８クロックから構成され、垂直走査期間Ｕは７５０ラインから構成される。したがって、垂直方向のライン走査期間Ｓ１は７．８４μｓであり、垂直方向のライン帰線期間Ｔ１は２．２６μｓであり、垂直走査期間Ｕは１０．１０μｓとなる。また、水平方向のフィールド走査期間Ｐは１２８０ラインから構成され、水平方向のフィールド帰線期間Ｑは３７０ラインから構成され、水平走査期間Ｒは１６５０ラインから構成される。したがって、水平方向のフィールド走査期間Ｐは１２．９３ｍｓであり、水平方向のフィールド帰線期間Ｑは３．７４ｍｓであり、水平走査期間Ｒは１６．７０ｍｓとなる。
【０１３０】
この場合、縦偏向方式の映像信号ＶＤＶのサンプリング周波数（書き込みクロック信号ＲＣＫおよび読み出しサンプリング信号ＲＳの周波数）は４５ｋＨｚ×１６５０クロック＝７４．２５ＭＨｚである。
【０１３１】
なお、本例では、ｒ１＝Ｔ１／Ｓ１＝０．２８９となるように設定値Ｖ３を決定することとしたが、これに限定されず、比ｒ１を他の値に設定した場合には、その比ｒ１により設定値Ｖ３が決定される。その場合、設定値Ｖ３に応じて垂直偏向回路６により生成される垂直偏向電流ＩＶ２が変更される。
【０１３２】
図９は縦偏向方式の垂直偏向回路６を説明するための図である。
図９は縦偏向方式の垂直偏向回路６を説明するための図である。図９に示す垂直偏向回路６は、ドライブトランス６０２、トランジスタ６０３、ダンパーダイオート６０４、垂直偏向ヨークＬＶ、フライバックトランス６０８、ダイオード６０９、抵抗６０７，６１０，６１１および共振周波数切替回路４２３を含む。
【０１３３】
垂直偏向回路６のドライブトランス６０２の一次巻線の一端は偏向信号発生ＩＣ４２１に接続され、ドライブトランス６０２の二次巻線の一端はトランジスタ６０３のベースに接続される。トランジスタ６０３のエミッタは接地端子に接続され、トランジスタ６０３のコレクタはノードＮ１に接続される。ダンパーダイオード６０４のカソードはノードＮ１に接続され、アノードは接地端子に接続される。垂直偏向ヨークＬＶの一端はノードＮ１に接続され、他端は電源端子６１２に接続される。さらに、フライバックトランス６０８の一次巻線の一端はノードＮ１に接続され、一次巻線の他端は抵抗６０７を介して電源端子６１２に接続される。ダイオード６０９のアノードはフライバックトランス６０８の二次巻線の一端に接続され、カソードはノードＮ２に接続される。抵抗６１０の一端はノードＮ２に接続され、他端はノードＮ３に接続される。抵抗６１１の一端はノードＮ３に接続され、他端は接地端子に接続される。
【０１３４】
共振周波数切替回路４２３は、複数のトランジスタＴｒ１…Ｔｒｎおよび複数の容量Ｃ１…Ｃｎより構成される。ここで、ｎは２以上の整数である。なお、容量Ｃ１…Ｃｎは各々異なる静電容量値を有する。各々のトランジスタＴｒ１…ＴｒｎのベースにはＯＮ／ＯＦＦ発生テーブル４２２から切替信号ＳＷ１〜ＳＷｎが与えられ、トランジスタＴｒ１…Ｔｒｎのエミッタは容量Ｃ１…Ｃｎを介して接地端子に接続され、トランジスタＴｒ１…ＴｒｎのコレクタはノードＮ１に接続される。
【０１３５】
ＯＮ／ＯＦＦ発生テーブル４２２は、設定値決定回路４０６ａから与えられる設定値Ｖ３に基づいて切替信号ＳＷ１〜ＳＷｎのいずれか１つをハイレベルにする。それにより、トランジスタＴｒ１…Ｔｒｎのうち１つのトランジスタがオンし、ノードＮ１に接続された容量が共振容量として動作する。
【０１３６】
一方、映像信号処理回路１の偏向信号発生ＩＣ４２１から垂直同期信号ＨＨ２に基づいてドライブトランス６０２に駆動パルスＤＰが入力される。ドライブトランス６０２の働きによりトランジスタ６０３のベースにパルス電圧が与えられる。トランジスタ６０３は、与えられたパルス電圧に応じてスイッチング動作を行う。それにより、ダンパーダイオード６０４およびノードＮ１に接続された容量によりのこぎり波状の垂直偏向電流ＩＶ２が垂直偏向ヨークＬＶに供給される。その結果、垂直偏向ヨークＬＶの働きからのこぎり波状の垂直偏向磁界が発生され、電子ビームが垂直方向に偏向される。
【０１３７】
また、電子ビームが１ラインの走査を終了し走査開始点に戻るまでのライン帰線期間において垂直偏向ヨークＬＶにフライバックパルスと呼ばれる高電圧パルスが発生する。このフライバックパルスは、フライバックトランス６０８により昇圧され、ダイオード６０９を介して出力される。フライバックトランス６０８により昇圧されたフライバックパルスはＣＲＴ８にアノード電圧として供給されるとともに、抵抗６１０，６１１により分圧され、分圧された電圧がＣＲＴ８にフォーカス電圧として供給される。
【０１３８】
次に、図１０は縦偏向方式の水平偏向コイル７を説明するための図である。
図１０に示す水平偏向コイル７は、増幅回路７２、帰還回路７３、水平偏向ヨークＬＨおよび抵抗７５を含む。
【０１３９】
水平偏向コイル７の増幅回路７２の一方の入力端子には偏向信号発生ＩＣ４２１が接続され、増幅回路７２の出力端子には水平偏向ヨークＬＨの一端が接続され、水平偏向ヨークＬＨの他端はノードＮ４に接続される。抵抗７５の一端はノードＮ４に接続され、他端は接地端子に接続される。帰還回路７３はノードＮ４と増幅回路７２の他方の入力端子との間接続される。
【０１４０】
偏向信号発生ＩＣ４２１は、垂直同期信号ＶＶ２および水平同期信号ＨＨ２に同期した偏向信号ＤＥを発生し、増幅回路７２の一方の入力端子に与える。ここで、偏向信号ＤＥは、垂直同期信号ＶＶ２および水平同期信号ＨＨ２に同期したのこぎり歯状波形電圧である。偏向信号ＤＥの詳細については後述する。増幅回路７２は、与えられたのこぎり歯状の波形電圧に基づいて水平偏向電流ＩＨ２を水平偏向ヨークＬＨに供給する。ノードＮ４の電圧は、増幅回路７２の他方の入力端子に帰還される。それにより、水平偏向ヨークＬＨからのこぎり歯状の水平偏向磁界が発生され、電子ビームが垂直方向に偏向される。
【０１４１】
次に、図１１は偏向信号発生ＩＣ４２１から垂直偏向回路６に与えられる駆動パルスＤＰおよび垂直偏向電流ＩＶ２の一例を示す図である。
【０１４２】
図１１（ａ），（ｃ）は偏向信号発生ＩＣ４２１から垂直偏向回路６に与えられる駆動パルスＤＰを示し、図１１（ｂ），（ｄ）はそれぞれ図１１（ａ），（ｃ）に示す駆動パルスＤＰに基づいて生成される垂直偏向電流ＩＶ２を示す。
【０１４３】
設定値Ｖ３が大きい場合には、偏向信号発生ＩＣ４２１から発生される駆動パルスＤＰのパルス幅は、図１１（ａ）に示すように大きくなる。それにより、垂直偏向回路６の垂直偏向ヨークＬＶには図１１（ｂ）に示すのこぎり波状の垂直偏向電流ＩＶ２が生成される。この場合、垂直偏向電流ＩＶ２のライン走査期間Ｓ１が長くなり、ライン帰線期間Ｔ１は短くなる。
【０１４４】
一方、設定値Ｖ３が小さい場合には、偏向信号発生ＩＣ４２１から発生される駆動パルスＤＰのパルス幅は、図１１（ｂ）に矢印Ｙで示すように小さくなる。それにより、図１１（ｄ）に示すように、垂直偏向電流ＩＶ２のライン走査期間Ｓ１が短くなり、ライン帰線期間Ｔ１が長くなる。
【０１４５】
以上のように、本実施の形態の映像表示装置では、垂直偏向回路６により生成される垂直偏向電流ＩＶ２により定まる垂直方向のライン走査期間Ｓ１が従来の横偏向方式における垂直方向のフィールド走査期間に比べて短く設定されかつライン帰線期間Ｔ１が従来の横偏向方式における垂直方向のフィールド帰線期間に比べて長く設定されるとともに補間処理により縦偏向方式の映像信号ＶＤＶにおける垂直方向のライン走査期間のサンプル数が低減される。
【０１４６】
したがって、横偏向方式の映像信号ＶＤＨが縦偏向方式の映像信号ＶＤＶに変換された場合に、垂直方向のライン走査期間に対するライン帰線期間の割合が増加することによりフライバックパルスのピーク電圧値の増加が防止される。また、縦偏向方式の映像信号ＶＤＶにおける垂直方向のライン帰線期間が増加することにより垂直方向のライン帰線期間においてスイッチング素子のコレクタ電流が流れる時間Ｔｃの占める割合の増加が抑制される。これらの結果、フライバックトランスにおける電力損失の増加が抑制される。
【０１４７】
本実施の形態においては、メモリ４０３が記憶手段に相当し、有効走査期間書き込み制御回路４０１が書き込み手段に相当し、短軸方向読み出し制御回路４０５が読み出し手段に相当し、ＣＲＴ８および表示画面８ａが表示手段に相当し、映像信号補間処理回路４０７が補間処理手段に相当し、共振周波数切替回路４２３が第１の変更手段に相当し、設定値決定回路４０６、ＯＮ／ＯＦＦ発生テーブル４２２および電圧変換テーブル４２０が偏向装置設定手段に相当する。
【０１４８】
（第２の実施の形態）
次に、本発明の第２の実施の形態に係る映像表示装置について説明する。本発明の第２の実施の形態に係る映像表示装置の全体の構成は、映像信号処理回路１の構成を除いて図１に示した構成と同様である。
【０１４９】
図１２は第２の実施の形態に係る映像表示装置における映像信号処理回路１の構成を示すブロック図である。
【０１５０】
図１２の映像信号処理回路１が図２の映像信号処理回路１と異なるのは、図２の設定値決定回路４０６および補間処理回路４０７が設けられず、サンプリング周波数設定回路４０９がさらに設けられている点である。
【０１５１】
書き込み制御回路４０１、Ａ／Ｄコンバータ４０２、同期信号変換回路４０４およびＤ／Ａコンバータ４０８の動作は、図２の書き込み制御回路４０１、Ａ／Ｄコンバータ４０２、同期信号変換回路４０４およびＤ／Ａコンバータ４０８の動作と同様である。
【０１５２】
また、垂直偏向回路６は、切替信号ＳＷ１〜ＳＷｎおよび駆動パルスＤＰに基づいて垂直偏向電流ＩＶ２を生成し、垂直同期信号ＶＶ２に同期してＣＲＴ８において電子ビームを縦方向（垂直方向）に偏向するために鋸歯状の垂直偏向電流ＩＶ２を垂直偏向コイルＬＶに供給する。
【０１５３】
垂直偏向回路６により生成される垂直偏向電流ＩＶ２により定まる垂直方向のライン走査期間は従来の横偏向方式における垂直方向のフィールド走査期間に比べて短縮され、垂直方向のライン帰線期間は従来の横偏向方式における垂直方向のフィールド帰線期間に比べて伸張されている。
【０１５４】
なお、本実施の形態においては、後述するサンプリング周波数Ｆ１に応じて垂直偏向電流ＩＶ２におけるライン帰線期間の長さが可変に設定される。
【０１５５】
水平偏向回路７は、後述する偏向信号ＤＥに同期してＣＲＴ８において電子ビームを横方向（水平方向）に偏向するために鋸歯状の水平偏向電流ＩＨ２を水平偏向コイルＬＨに供給する。
【０１５６】
サンプリング周波数設定回路４０９は、予め内部にルックアップテーブル等のテーブルより横偏向方式の映像信号ＶＤＨの垂直方向における全ライン数（以下、第１のライン数と呼ぶ）と横偏向方式の映像信号ＶＤＨの垂直方向のフィールド走査期間におけるライン数（以下、第２のライン数と呼ぶ）、横偏向方式の映像信号ＶＤＨの水平方向における全サンプル数（以下、第１のサンプル数と呼ぶ）、横偏向方式の映像信号ＶＤＨの水平方向のライン走査期間におけるサンプル数（以下、第２のサンプル数と呼ぶ）および第１のライン数よりも大きな予め設定されたライン数（以下、第３のライン数と呼ぶ）との関係を記憶している。
【０１５７】
サンプリング周波数設定回路４０９は、入力される垂直同期信号ＶＶ１の周期を水平同期信号ＨＨ１の周期で除算することにより横偏向方式の映像信号ＶＤＨの垂直方向における第１のライン数を算出し、全ライン数に対応する第１のライン数、第２のライン数、第１のサンプル数、第２のサンプル数および第３のライン数をテーブルから抽出する。サンプリング周波数設定回路４０９は、横偏向方式の映像信号ＶＤＨのフィールド周波数に第１のサンプル数を乗算することにより縦偏向方式の映像信号ＶＤＶの垂直方向のライン周波数を算出し、縦偏向方式の映像信号ＶＤＶの垂直方向のライン周波数に第３のサンプル数を乗算することにより縦偏向方式の映像信号ＶＤＶのサンプリング周波数Ｆ１を算出し、算出されたサンプリング周波数Ｆ１を読み出し制御回路４０５、ＯＮ／ＯＦＦ発生テーブル４２２および電圧変換テーブル４２０に与える。
【０１５８】
読み出し制御回路４０５は、同期信号変換回路４０４より与えられた縦偏向方式の垂直同期信号ＶＶ２および水平同期信号ＨＨ２ならびにサンプリング周波数設定回路４０９より与えられたサンプリング周波数Ｆ１に応答して読み出しクロック信号ＲＣＫ２および読み出しアドレス信号ＲＡをメモリ４０３に与えるとともに読み出しサンプリング信号ＲＳ２をＤ／Ａコンバータ４０８に与える。
【０１５９】
この場合、読み出し制御回路４０５は、表示画面８ａの縦方向に沿った順にサンプルがメモリ４０３から読み出されるように読み出しアドレス信号ＲＡを変化させる。また、読み出し制御回路４０５は、垂直方向のライン走査期間および水平方向のフィールド走査期間のサンプルがメモリ４０３から読み出されるように読み出しクロック信号ＲＣＫ２および読み出しアドレス信号ＲＡをメモリ４０３に与える。それにより、縦偏向方式に従って垂直方向のライン走査期間および水平方向のフィールド走査期間のサンプルが読み出しアドレス信号ＲＡにより指定されるメモリ４０３のアドレス位置から読み出される。メモリ４０３から読み出されたサンプルは、Ｄ／Ａコンバータ４０８に与えられる。
【０１６０】
Ｄ／Ａコンバータ４０８は、読み出し制御回路４０５により与えられる読み出しサンプリング信号ＲＳ２に同期して、メモリ４０３から読み出されたサンプルをデジタル−アナログ変換し、縦偏向方式の映像信号ＶＤＶを出力する。
【０１６１】
電圧変換テーブル４２０は与えられたサンプリング周波数Ｆ１に基づいて制御電圧信号ＤＳを偏向信号発生ＩＣ４２１に与える。
【０１６２】
偏向信号発生ＩＣ４２１は、電圧変換テーブル４２０から与えられた制御電圧信号ＤＳに基づいて縦偏向方式における垂直偏向回路６に駆動パルスＤＰを与え、水平偏向回路７に偏向信号ＤＥを与える。なお、垂直偏向回路６および水平偏向回路７の構成については、第１の実施の形態における図９および図１０に示す垂直偏向回路６および水平偏向回路７と同様である。
【０１６３】
ＯＮ／ＯＦＦ発生テーブル４２２は、与えられたサンプリング周波数Ｆ１に基づいて切替信号ＳＷ１〜ＳＷｎを生成し、垂直偏向回路６の共振周波数切替回路４２３に与える。
【０１６４】
共振周波数切替回路４２３は、切替信号ＳＷ１〜ＳＷｎに応じて垂直偏向回路６の共振周波数を切り替える。また、偏向信号発生ＩＣ４２１から与えられる駆動パルスＤＰのパルス幅はサンプリング周波数Ｆ１に応じて可変となっている。したがって、垂直偏向電流ＩＶ２により定まる垂直方向のライン走査期間およびライン帰線期間がサンプリング周波数Ｆ１に応じて調整される。
【０１６５】
この場合、縦偏向方式の映像信号ＶＤＶのサンプリング周波数（読み出しクロック信号ＲＣＫ２および読み出しサンプリング信号ＲＳ２の周波数）が横偏向方式の映像信号ＶＤＨのサンプリング周波数（書き込みサンプリング信号ＷＳおよび書き込みクロック信号ＷＣＫの周波数）よりも高くなることにより、垂直偏向電流ＩＶ２により定まる垂直方向のライン帰線期間が伸張された場合にでも、伸張されたライン帰線期間において映像が表示されない。
【０１６６】
図１３は図１２のメモリ４０３から読み出されるタイミングを示す図である。なお、図１２のメモリ４０３に書き込まれるサンプルのタイミングは図３に示したタイミングと同様である。
【０１６７】
図１３において、Ｐは水平方向のフィールド走査期間、Ｑは水平方向のフィールド帰線期間、Ｒは水平走査期間を示し、Ｓ１は短縮された垂直方向のライン有効走査期間、Ｔ１は伸張された垂直方向のライン帰線期間、Ｕは垂直走査期間を示す。
【０１６８】
図１３において、実線の丸印はメモリ４０３からサンプルが読み出されるタイミングを示し、矢印はメモリ４０３からのサンプルの読み出し順序を示す。なお、図１３において、破線の丸印は便宜上ライン帰線期間およびフィールド帰線期間の長さを示すために読み出しサンプリング信号ＲＳ２のタイミングを示す。
【０１６９】
以下の説明において、また、各サンプルのタイミングを（垂直走査におけるタイミング，水平走査におけるタイミング）で表す。例えば、図１３において、第ｋラインの第ｍ番目のサンプルのタイミングを（ｍ，ｋ）で表す。
【０１７０】
まず、第１の実施の形態の図３に示したように、横偏向方式の映像信号ＶＤＨにおける水平走査期間Ｒの全サンプル数（第１のサンプル数）をＨ２とし、水平方向のフィールド走査期間Ｐのサンプル数（第２のサンプル数）をＨ１とする。また、横偏向方式の映像信号ＶＤＨにおける垂直走査期間Ｕのライン数（第１のライン数）をＶ２とし、垂直方向のライン走査期間Ｓのライン数（第２のライン数）をＶ１とする。さらに、図１３における縦偏向方式の映像信号ＶＤＶにおける垂直走査期間Ｕのライン数（第３のライン数）をＶ４とする。
【０１７１】
書き込み制御回路４０１は、Ａ／Ｄコンバータ４０２より出力されるサンプルが垂直方向のフィールド走査期間Ｓでかつ水平方向のライン走査期間Ｐのサンプルである場合に書き込みクロック信号ＷＣＫおよび書き込みアドレス信号ＷＡをメモリ４０３に与える。それにより、垂直方向のフィールド走査期間Ｓおよび水平方向のライン走査期間Ｐのサンプルが書き込みアドレス信号ＷＡにより指定されるメモリ４０３のアドレス位置に書き込まれる。一方、書き込み制御回路４０１は、Ａ／Ｄコンバータ４０２より出力されるサンプルが垂直方向のフィールド走査期間Ｓでかつ水平方向のライン走査期間Ｐのサンプルでない場合には書き込みクロック信号ＷＣＫおよび書き込みアドレス信号ＷＡをメモリ４０３に与えない。それにより、垂直方向のフィールド帰線期間Ｔおよび水平方向のライン帰線期間Ｑのサンプルはメモリ４０３には書き込まれない。
【０１７２】
図３の例では、サンプルがメモリ４０３にタイミング（１，１）、（１，２）、（１，３）、…（１，Ｈ１）、（２，１）、（２，２）、（２，３）、…（２，Ｈ１）、…（Ｖ１，１）、（Ｖ１，２）、（Ｖ１，３）、…（Ｖ１，Ｈ１）で順に書き込まれる。
【０１７３】
次に、図１３に示すように、垂直方向に沿った順にサンプルがメモリ４０３から読み出されるように、読み出し制御回路４０５は、サンプリング周波数設定回路４０９から与えられるサンプリング周波数Ｆ１を有する読み出しクロック信号ＲＣＫ２をメモリ４０３に与えるとともに読み出しアドレス信号ＲＡを変化させる。この場合、読み出し制御回路４０５は、垂直方向のライン走査期間Ｓ１および水平方向のフィールド走査期間Ｐのサンプルがメモリ４０３から読み出されるように読み出しクロック信号ＲＣＫ２および読み出しアドレス信号ＲＡをメモリ４０３に与える。それにより、縦偏向方式に従って垂直方向のライン走査期間Ｓ１および水平方向のフィールド走査期間Ｐのサンプルが読み出しアドレス信号ＲＡにより指定されるメモリ４０３のアドレス位置から読み出される。メモリ４０３から読み出されたサンプルは、Ｄ／Ａコンバータ４０８に与えられる。
【０１７４】
図１３の例では、サンプルがメモリ４０３からタイミング（１，１）、（２，１）、（３，１）、…（Ｖ１，１）、（１，２）、（２，２）、（３，２）、…（Ｖ１，２）、…（１，Ｈ１）、（２，Ｈ１）、（３，Ｈ１）、…（Ｖ１，Ｈ１）で順に読み出される。タイミング（Ｖ１＋１，１）〜（Ｖ４，１）、（Ｖ１＋１，２）〜（Ｖ４，２）、…（Ｖ１＋１，Ｈ１）〜（Ｖ４，Ｈ１）、…（１，Ｈ１＋１）〜（Ｖ４，Ｈ１＋１）…（１，Ｈ２）〜（Ｖ４，Ｈ２）でメモリ４０３からサンプルが出力されない。
【０１７５】
それにより、サンプリング周波数Ｆ１に基づいて垂直偏向電流ＩＶ２により定まる垂直方向のライン帰線期間Ｔ１においてサンプルが出力されないため、ＣＲＴ８の画面に映像が表示されない。
【０１７６】
このように、縦偏向方式の映像信号ＶＤＶのサンプリング周波数（読み出しクロック信号ＲＣＫ２および読み出しサンプリング信号ＲＳ２の周波数）が横偏向方式の映像信号ＶＤＨのサンプリング周波数（書き込みクロック信号ＷＣＫ２および書き込みサンプリング信号ＷＳ２の周波数）よりも高くなることにより、垂直方向の短縮されたライン走査期間Ｓ１において映像が表示され、垂直方向の伸張されたライン帰線期間Ｔ１において映像が表示されない。
【０１７７】
図１４は図１３に対応する縦偏向方式の映像信号のライン走査期間およびライン帰線期間とフィールド走査期間およびフィールド帰線期間との具体例を示す模式図である。図１４において、クロック数とは、読み出しクロック信号ＲＣＫ２および読み出しサンプリング信号ＲＳ２のパルス数を意味する。
【０１７８】
また、表４に図１４のライン走査期間およびライン帰線期間とフィールド走査期間およびフィールド帰線期間とを示す。なお、横偏向方式の映像信号のライン走査期間およびライン期間とフィールド走査期間およびフィールド帰線期間とは図９および表２と同様である。
【０１７９】
【表４】
2004304654.tif 000006
【０１８０】
ここでは、横偏向方式の映像信号が７５０ラインのプログレッシブ方式の映像信号である場合を考える。水平走査周波数は４５ｋＨｚであり、垂直走査周波数は６０Ｈｚである。
【０１８１】
横偏向方式の映像信号ＶＤＨのサンプリング周波数（書き込みサンプリング信号ＷＳおよび書き込みクロック信号ＷＣＫの周波数）は４５ｋＨｚ×１６５０クロック＝７４．２５ＭＨｚである。
【０１８２】
ここで、垂直方向のライン帰線期間Ｔ１と垂直方向のライン走査期間Ｓ１との比ｒ３が次式のように予め設定される。本実施の形態では、比ｒ３は可変に設定することができる。
【０１８３】
本例では、ｒ３＝Ｔ１／Ｓ１＝０．２８９となるように第３のライン数Ｖ４を決定する。この第３のライン数Ｖ４は縦偏向方式の映像信号ＶＤＶの垂直方向における全サンプル数に相当する。
【０１８４】
Ｔ１／Ｓ１＝（Ｕ−Ｓ１）／Ｓ１＝（Ｖ４−Ｖ１）／Ｖ１＝０．２８９
第２のライン数（垂直方向のライン走査期間のライン数）Ｖ１は７２０である。したがって、上式から第３のライン数Ｖ４は次式のようになる。
【０１８５】
Ｖ４＝Ｖ１×（１＋０．２８９）＝１．２８９Ｖ１≒９２８［クロック］
横偏向方式の映像信号ＶＤＨのフィールド周波数は６０Ｈｚであり、第１のサンプル数Ｈ２は１６５０であるため、横偏向方式の映像信号ＶＤＨのフィールド周波数に第１のサンプル数Ｈ２を乗算することにより縦偏向方式の映像信号ＶＤＶの垂直方向のライン周波数は９９ｋＨｚとなる。さらに、第３のライン数Ｖ４は９２８であるため、縦偏向方式の映像信号ＶＤＶの垂直方向のライン周波数に第３のサンプル数Ｖ４を乗算することにより縦偏向方式の映像信号ＶＤＶのサンプリング周波数は９１．８７ＭＨｚとなる。
【０１８６】
図１４および表４に示すように、垂直方向のライン走査期間Ｓ１は７２０クロックから構成され、垂直方向のライン帰線期間Ｔ１は２０８クロックから構成され、垂直走査期間Ｕは９２８クロックから構成される。したがって、垂直方向のライン走査期間Ｓ１は７．８４μｓであり、垂直方向のライン帰線期間Ｔ１は２．２６μｓであり、垂直走査期間Ｕは１０．１０μｓとなる。また、水平方向のフィールド走査期間Ｐは１２８０ラインから構成され、水平方向のフィールド帰線期間Ｑは３７０ラインから構成され、水平走査期間Ｒは１６５０ラインから構成される。したがって、水平方向のフィールド走査期間Ｐは１２．９３ｍｓであり、水平方向のフィールド帰線期間Ｑは３．７４ｍｓであり、水平走査期間Ｒは１６．７０ｍｓとなる。
【０１８７】
なお、本例では、ｒ３＝Ｔ１／Ｓ１＝０．２８９となるように第３のライン数Ｖ４を決定することとしたが、これに限定されず、比ｒ３を他の値に設定した場合には、その比ｒ３により第３のライン数Ｖ４が決定される。その場合、第３のライン数Ｖ４に応じて垂直偏向回路６により生成される垂直偏向電流ＩＶ２が変更される。
【０１８８】
以上のように、本実施の形態の映像表示装置では、垂直偏向回路６により生成される垂直偏向電流ＩＶ２により定まる垂直方向のライン走査期間Ｓ１が従来の横偏向方式における垂直方向のフィールド走査期間に比べて短く設定されかつライン帰線期間Ｔ１が従来の横偏向方式における垂直方向のフィールド帰線期間に比べて長く設定されるとともに縦偏向方式の映像信号ＶＤＶのサンプリング周波数が横偏向方式の映像信号ＶＤＨのサンプリング周波数よりも高く設定される。
【０１８９】
したがって、横偏向方式の映像信号ＶＤＨが縦偏向方式の映像信号ＶＤＶに変換された場合に、垂直方向のライン走査期間に対するライン帰線期間の割合が増加することによりフライバックパルスのピーク電圧値の増加が防止される。また、縦偏向方式の映像信号ＶＤＶにおける垂直方向のライン帰線期間が増加することにより垂直方向のライン帰線期間においてスイッチング素子のコレクタ電流が流れる時間Ｔｃの占める割合の増加が抑制される。これらの結果、フライバックトランスにおける電力損失の増加が抑制される。
【０１９０】
本実施の形態においては、メモリ４０３が記憶手段に相当し、有効走査期間書き込み制御回路４０１が書き込み手段に相当し、短軸方向読み出し制御回路４０５が読み出し手段に相当し、書き込みクロック信号ＷＣＫが第１のサンプリング信号に相当し、読み出しクロック信号ＲＣＫ２が第２のサンプリング信号に相当し、ＣＲＴ８および表示画面８ａが表示手段に相当し、共振周波数切替回路４２３が第１の変更手段に相当し、サンプリング周波数設定回路４０９がサンプリング周波数設定手段に相当し、サンプリング周波数設定回路４０９、電圧変換テーブル４２０およびＯＮ／ＯＦＦ発生テーブル４２２が偏向装置設定手段に相当する。
【０１９１】
（第３の実施の形態）
次に、本発明の第３の実施の形態に係る映像表示装置について説明する。本発明の第３の実施の形態に係る映像表示装置の全体の構成は、映像信号処理回路１の構成を除いて図１に示した構成と同様である。
【０１９２】
図１５は第３の実施の形態に係る映像表示装置における映像信号処理回路１の構成を示すブロック図である。
【０１９３】
図１５の映像信号処理回路１が図２の映像信号処理回路１と異なるのは、長軸方向映像信号補間処理回路（以下、補間処理回路と略記する）４１０がさらに設けられ、補間処理回路４０７の代わりに短軸方向映像信号補間処理回路（以下、補間処理回路と略記する）４１１が設けられ、設定値決定回路４０６の代わりに設定値決定回路４０６ａが設けられている点である。
【０１９４】
書き込み制御回路４０１、Ａ／Ｄコンバータ４０２、同期信号変換回路４０４およびＤ／Ａコンバータ４０８の動作は、図２の書き込み制御回路４０１、Ａ／Ｄコンバータ４０２、同期信号変換回路４０４およびＤ／Ａコンバータ４０８の動作と同様である。
【０１９５】
また、垂直偏向回路６は、切替信号ＳＷ１〜ＳＷｎおよび駆動パルスＤＰに基づいて垂直偏向電流ＩＶ２を生成し、垂直同期信号ＶＶ２に同期してＣＲＴ８において電子ビームを縦方向（垂直方向）に偏向するために鋸歯状の垂直偏向電流ＩＶ２を垂直偏向コイルＬＶに供給する。
【０１９６】
垂直偏向回路６により生成される垂直偏向電流ＩＶ２により定まる垂直方向のライン走査期間は従来の横偏向方式における垂直方向のフィールド走査期間に比べて短縮され、垂直方向のライン帰線期間は従来の横偏向方式における垂直方向のフィールド帰線期間に比べて伸張されている。
【０１９７】
なお、本実施の形態においては、後述する第２の設定値Ｖ３に応じて垂直偏向電流ＩＶ２におけるライン帰線期間の長さが可変に設定される。
【０１９８】
水平偏向回路７は、後述する偏向信号ＤＥに同期してＣＲＴ８において電子ビームを横方向（水平方向）に偏向するために鋸歯状の水平偏向電流ＩＨ２を水平偏向コイルＬＨに供給する。
【０１９９】
水平偏向回路７により生成される水平偏向電流ＩＨ２により定まる水平方向のフィールド走査期間は従来の横偏向方式における水平方向のライン走査期間に比べて伸張され、水平方向のフィールド帰線期間は従来の横偏向方式における水平方向のライン帰線期間に比べて短縮されている。
【０２００】
なお、本実施の形態においては、後述する第１の設定値Ｈ３に応じて水平偏向電流ＩＨ２におけるフィールド帰線期間の長さが可変に設定される。
【０２０１】
設定値決定回路４０６ａは、予め内部にルックアップテーブル等のテーブルより横偏向方式の映像信号ＶＤＨの垂直方向における全ライン数（以下、第１のライン数と呼ぶ）と横偏向方式の映像信号ＶＤＨの垂直方向のフィールド走査期間におけるライン数（以下、第２のライン数と呼ぶ）、横偏向方式の映像信号ＶＤＨの水平方向における全サンプル数（以下、第１のサンプル数と呼ぶ）、横偏向方式の映像信号ＶＤＨの水平方向のライン走査期間におけるサンプル数（以下、第２のサンプル数と呼ぶ）、第１の設定値Ｈ３および第２の設定値Ｖ３を記憶している。ここで、第１の設定値Ｈ３は、第２のサンプル数よりも大きな値に設定される。また、第２の設定値Ｖ３は、第２のライン数よりも小さな値に設定される。ここで、第１の設定値Ｈ３は、後述する伸張された水平方向のフィールド走査期間に相当する。したがって、第１の設定値Ｈ３は、横方向偏向方式における水平方向のライン走査期間のサンプル数よりも大きい値に設定される。また、第２の設定値Ｖ３は、後述する短縮された垂直方向のライン走査期間に相当する。したがって、第２の設定値Ｖ３は、横偏向方式における垂直方向のフィールド走査期間のライン数よりも小さい値に設定される。
【０２０２】
設定値決定回路４０６ａは、入力される垂直同期信号ＶＶ１の周期を水平同期信号ＨＨ１の周期で除算することにより横偏向方式の映像信号ＶＤＨの垂直方向における第１のライン数を算出し、全ライン数に対応する第１のライン数、第２のライン数、第１のサンプル数、第２のサンプル数、第１の設定値Ｈ３および第２の設定値Ｖ３をテーブルから抽出し、第１の設定値Ｈ３を補間処理回路４１０に与え、第２の設定値Ｖ３を補間処理回路４１１に与え、第１の設定値Ｈ３および第２の設定値Ｖ３を電圧変換テーブル４２０に与え、第２の設定値Ｖ３をＯＮ／ＯＦＦ発生テーブル４２２に与える。
【０２０３】
補間処理回路４１０は、設定値決定回路４０６ａより与えられる第１の設定値Ｈ３に基づいて、メモリ４０３に記憶されたサンプルを用いた補間処理を行う。補間処理により得られたサンプルは、メモリ４０３に記憶される。この場合、補間処理回路４１０は、水平方向のフィールド走査期間のサンプルを用いた補間処理により水平方向のフィールド走査期間のサンプル数を第１の設定値Ｈ３に増加させる。
【０２０４】
読み出し制御回路４０５は、同期信号変換回路４０４より与えられた縦偏向方式の垂直同期信号ＶＶ２および水平同期信号ＨＨ２に応答して読み出しクロック信号ＲＣＫおよび読み出しアドレス信号ＲＡをメモリ４０３に与えるとともに、読み出しサンプリング信号ＲＳをＤ／Ａコンバータ４０８に与える。
【０２０５】
この場合、読み出し制御回路４０５は、表示画面８ａの縦方向に沿った順にサンプルがメモリ４０３から読み出されるように読み出しアドレス信号ＲＡを変化させる。また、読み出し制御回路４０５は、垂直方向のライン走査期間および水平方向のフィールド走査期間のサンプルがメモリ４０３から読み出されるように読み出しクロック信号ＲＣＫおよび読み出しアドレス信号ＲＡをメモリ４０３に与える。それにより、縦偏向方式に従って垂直方向のライン走査期間および水平方向のフィールド走査期間のサンプルが読み出しアドレス信号ＲＡにより指定されるメモリ４０３のアドレス位置から読み出される。メモリ４０３から読み出されたサンプルは、補間処理回路４１１に与えられる。
【０２０６】
補間処理回路４１１は、設定値決定回路４０６ａより与えられる第２の設定値Ｖ３に基づいて、メモリ４０３から読み出されるサンプルを用いた補間処理を行い、補間処理により得られたサンプルをＤ／Ａコンバータ４０８に与える。この場合、補間処理回路４０７は、垂直方向のライン走査期間のサンプルを用いた補間処理により垂直方向のライン走査期間のサンプル数を第２の設定値Ｖ３に低減させる。それにより、短縮された垂直方向のライン走査期間に応じたサンプル数を読み出すことができる。
【０２０７】
電圧変換テーブル４２０は、与えられた第１の設定値Ｈ３および第２の設定値Ｖ３に基づいて制御電圧信号ＤＳを偏向信号発生ＩＣ４２１へ与える。
【０２０８】
偏向信号発生ＩＣ４２１は、電圧変換テーブル４２０から与えられた制御電圧信号ＤＳに基づいて縦偏向方式における垂直偏向回路６に駆動パルスＤＰを与え、水平偏向回路７に偏向信号ＤＥを与える。なお、垂直偏向回路６および水平偏向回路７の構成については図３および図４に示す垂直偏向回路６および水平偏向回路７の構成と同様である。
【０２０９】
ＯＮ／ＯＦＦ発生テーブル４２２は、設定値決定回路４０６ａから与えられた第２の設定値Ｖ３に基づいて切替信号ＳＷ１〜ＳＷｎを生成し、垂直偏向回路６の共振周波数切替回路４２３に与える。共振周波数切替回路４２３は、切替信号ＳＷ１〜ＳＷｎに応じて垂直偏向回路６の共振周波数を切り替える。
【０２１０】
偏向信号発生ＩＣ４２１から与えられる駆動パルスＤＰのパルス幅は第２の設定値Ｖ３に応じて可変となっている。したがって、垂直偏向電流ＩＶ２により定まる垂直方向のライン帰線期間が設定値Ｖ３に応じて調整される。また、偏向信号発生ＩＣ４２１から与えられる偏向信号ＤＥの波形は第１の設定値Ｈ３に応じて可変となっている。したがって、水平偏向電流ＩＨ２により定まる水平方向のフィールド帰線期間が第１の設定値Ｈ３に応じて調整される。
【０２１１】
Ｄ／Ａコンバータ４０８は、読み出し制御回路４０５により与えられる読み出しサンプリング信号ＲＳに同期して、補間処理回路４０７により与えられたサンプルをデジタル−アナログ変換し、縦偏向方式の映像信号ＶＤＶを出力する。
【０２１２】
図１６は図１５のメモリ４０３から読み出されるタイミングを示す図である。なお、図１６のメモリ４０３に書き込まれるサンプルのタイミングは図３に示したタイミングと同様である。
【０２１３】
図１６において、Ｐ１は水平方向の伸張されたフィールド走査期間、Ｑ１は水平方向の短縮されたフィールド帰線期間、Ｒは水平走査期間を示し、Ｓ１は垂直方向の短縮されたライン走査期間、Ｔ１は垂直方向の伸張されたライン帰線期間、Ｕは垂直走査期間を示す。
【０２１４】
図１６において、実線の丸印は補間処理回路４１１からサンプルが出力されるタイミングを示し、矢印は補間処理回路４１１からのサンプルの出力順序を示す。なお、破線の丸印は便宜上ライン帰線期間およびフィールド帰線期間の長さを示すために読み出しサンプリング信号ＲＳのタイミングを示す。
【０２１５】
以下の説明において、また、各サンプルのタイミングを（垂直走査におけるタイミング，水平走査におけるタイミング）で表す。例えば、図１６において、第ｋラインの第ｍ番目のサンプルのタイミングを（ｍ，ｋ）で表す。
【０２１６】
まず、図３に示したように、横偏向方式の映像信号ＶＤＨにおける水平走査期間Ｒの全サンプル数（第１のサンプル数）をＨ２とし、水平方向のライン走査期間Ｐのサンプル数（第２のサンプル数）をＨ１とする。また、横偏向方式の映像信号ＶＤＨにおける垂直走査期間Ｕのライン数（第１のライン数）をＶ２とし、垂直方向のフィールド走査期間Ｓのライン数（第２のライン数）をＶ１とする。
【０２１７】
書き込み制御回路４０１は、Ａ／Ｄコンバータ４０２より出力されるサンプルが垂直方向のフィールド効走査期間Ｓでかつ水平方向のライン走査期間Ｐのサンプルである場合に書き込みクロック信号ＷＣＫおよび書き込みアドレス信号ＷＡをメモリ４０３に与える。それにより、垂直方向のフィールド走査期間Ｓおよび水平方向のライン走査期間Ｐのサンプルが書き込みアドレス信号ＷＡにより指定されるメモリ４０３のアドレス位置に書き込まれる。一方、書き込み制御回路４０１は、Ａ／Ｄコンバータ４０２より出力されるサンプルが垂直方向のフィールド走査期間Ｓでかつ水平方向のライン走査期間Ｐのサンプルでない場合には書き込みクロック信号ＷＣＫおよび書き込みアドレス信号ＷＡをメモリ４０３に与えない。それにより、垂直方向のフィールド帰線期間Ｔおよび水平方向のライン帰線期間Ｑのサンプルはメモリ４０３には書き込まれない。
【０２１８】
図３の例では、サンプルがメモリ４０３にタイミング（１，１）、（１，２）、（１，３）、…（１，Ｈ１）、（２，１）、（２，２）、（２，３）、…（２，Ｈ１）、…（Ｖ１，１）、（Ｖ１，２）、（Ｖ１，３）、…（Ｖ１，Ｈ１）で順に書き込まれる。
【０２１９】
次に、補間処理回路４１１は、設定値決定回路４０６ａより与えられる第１の設定値Ｈ３に基づいて、メモリ４０３に記憶されるサンプルを用いた補間処理を行い、水平方向のフィールド走査期間Ｐ１のサンプル数を第１の設定値Ｈ３に増加させ、補間処理により得られたサンプルをメモリ４０３に記憶させる。
【０２２０】
次に、垂直方向に沿った順にサンプルがメモリ４０３から読み出されるように、読み出し制御回路４０５は、読み出しアドレス信号ＲＡを変化させる。この場合、読み出し制御回路４０５は、垂直方向の有効走査期間Ｓおよび水平方向のフィールド走査期間Ｐ１のサンプルがメモリ４０３から読み出されるように読み出しクロック信号ＲＣＫおよび読み出しアドレス信号ＲＡをメモリ４０３に与える。それにより、縦偏向方式に従って垂直方向のライン走査期間Ｓおよび水平方向のフィールド走査期間Ｐ１のサンプルが読み出しアドレス信号ＲＡにより指定されるメモリ４０３のアドレス位置から読み出される。メモリ４０３から読み出されたサンプルは、補間処理回路４１１に与えられる。
【０２２１】
補間処理回路４１１は、設定値決定回路４０６ａより与えられる第２の設定値Ｖ３に基づいて、メモリ４０３から読み出されるサンプルを用いた補間処理を行い、垂直方向のライン走査期間Ｓ１のサンプル数を第２の設定値Ｖ３に低減させ、補間処理により得られたサンプルをＤ／Ａコンバータ４０８に与える。
【０２２２】
図１６の例では、補間処理回路４１１により得られたサンプルがタイミング（１，１）、（２，１）、（３，１）、…（Ｖ３，１）、（１，２）、（２，２）、（３，２）、…（Ｖ３，２）、…（１，Ｈ３）、（２，Ｈ３）、（３，Ｈ３）、…（Ｖ３，Ｈ３）で順に出力される。タイミング（Ｖ３＋１，１）〜（Ｖ２，１）、（Ｖ３＋１，２）〜（Ｖ２，２）、…（Ｖ３＋１，Ｈ３）〜（Ｖ２，Ｈ３）、…（１，Ｈ３＋１）〜（Ｖ２，Ｈ３＋１）、…（１，Ｈ２）〜（Ｖ２，Ｈ２）で補間処理回路４１１からサンプルが出力されない。
【０２２３】
それにより、第１の設定値Ｈ３に基づいて水平偏向電流ＩＨ２により定まる水平方向のフィールド帰線期間Ｑ１および第２の設定値Ｖ３に基づいて垂直偏向電流ＩＶ２により定まる垂直方向のライン帰線期間Ｔ１においてサンプルが出力されないため、ＣＲＴ８の画面に映像が表示されない。
【０２２４】
このように、垂直方向のライン走査期間のサンプル数がＶ１からＶ３に減少することにより、垂直方向の短縮されたライン走査期間Ｓ１において映像が表示され、垂直方向に伸張されたライン帰線期間Ｔ１において映像が表示されない。また、水平方向のフィールド走査期間のライン数がＨ１からＨ３に増加することにより、水平方向の伸張されたフィールド走査期間Ｐ１において映像が表示され、水平方向の短縮されたフィールド帰線期間Ｑ１において映像が表示されない。
【０２２５】
図１７は図１６に対応する補間処理後の映像信号のライン走査期間およびライン帰線期間とフィールド走査期間およびフィールド帰線期間との具体例を示す模式図である。図１７において、クロック数とは、書き込みサンプリング信号ＷＳ、書き込みクロック信号ＷＣＫ、読み出しクロック信号ＲＣＫおよび読み出しサンプリング信号ＲＳのパルス数を意味する。
【０２２６】
また、表５に図１６の補間処理後のライン走査期間およびライン帰線期間とフィールド走査期間およびフィールド帰線期間とを示す。なお、横偏向方式のライン走査期間およびライン帰線期間とフィールド走査期間およびフィールド帰線期間とは図３および表２と同様である。
【０２２７】
【表５】
2004304654.tif 000007
【０２２８】
ここでは、横偏向方式の映像信号が７５０ラインのプログレッシブ方式の映像信号である場合を考える。水平走査周波数は４５ｋＨｚであり、垂直走査周波数は６０Ｈｚである。
【０２２９】
横偏向方式の映像信号ＶＤＨのサンプリング周波数（書き込みサンプリング信号ＷＳおよび書き込みクロック信号ＷＣＫの周波数）は４５ｋＨｚ×１６５０クロック＝７４．２５ＭＨｚである。
【０２３０】
本実施の形態では、横偏向方式における水平方向のライン帰線期間／ライン走査期間は、表２から３７０／１２８０＝０．２８９となる。ここで、縦偏向方式において、水平走査周波数は垂直走査周波数に比べて低いため、水平方向のフィールド帰線期間は短くてもよい。一方、横偏向方式における垂直方向のフィールド帰線期間／フィールド走査期間は、表２から３０／７２０＝０．０４２となる。
【０２３１】
ここで、水平方向のフィールド帰線期間Ｑ１と水平方向のフィールド走査期間Ｐ１との比ｒ２が予め設定される。本実施の形態では、比ｒ２は可変に設定することができる。
【０２３２】
ｒ２＝Ｑ１／Ｐ１
本例では、ｒ２＝Ｑ１／Ｐ１＝０．０４２となるように、第１の設定値Ｈ３を設定する。この第１の設定値Ｈ３は補間処理後の水平方向のフィールド走査期間Ｐ１に相当する。
【０２３３】
Ｑ１／Ｐ１＝（Ｒ−Ｐ１）／Ｐ１＝０．０４２
水平走査期間Ｒは１６５０ラインである。したがって、上式から水平方向のフィールド走査期間Ｐ１は次式のようになる。
【０２３４】
Ｑ１＝Ｒ／（１＋０．０４２）＝１６５０／１．０４２＝１５８０［ライン］
したがって、第１の設定値Ｈ３は１５８０となり、上記の補間処理により水平方向のフィールド走査期間Ｐ１のライン数が１５８０に増加される。
【０２３５】
また、本例では、第１の実施の形態と同様に、ｒ１＝Ｔ１／Ｓ１＝０．２８９となるように第２の設定値Ｖ３を決定する。この第２の設定値Ｖ３は補間処理後の垂直方向のライン走査期間Ｓ１に相当する。この場合、第２の設定値Ｖ３は５８２となり、上記の補間処理により垂直方向のライン走査期間Ｓ１のクロック数が５８２に低減される。
【０２３６】
その結果、図１６および表５に示すように、垂直方向のライン走査期間Ｓ１は５８２クロックから構成され、垂直方向のライン帰線期間Ｔ１は１６８クロックから構成され、垂直走査期間Ｕは７５０ラインから構成される。したがって、垂直方向のライン走査期間Ｓ１は７．８４μｓであり、垂直方向のライン帰線期間Ｔ１は２．２６μｓであり、垂直走査期間Ｕは１０．１０μｓとなる。また、水平方向のフィールド走査期間Ｐ１は１５８０ラインから構成され、水平方向のフィールド帰線期間Ｑ１は７０ラインから構成され、水平走査期間Ｒは１６５０ラインから構成される。したがって、水平方向のフィールド走査期間Ｐ１は１６．００ｍｓであり、水平方向のフィールド帰線期間Ｑ１は０．７０ｍｓであり、水平走査期間Ｒは１６．７０ｍｓとなる。
【０２３７】
この場合、縦偏向方式の映像信号ＶＤＶのサンプリング周波数（書き込みクロック信号ＲＣＫおよび読み出しサンプリング信号ＲＳの周波数）は４５ｋＨｚ×１６５０クロック＝７４．２５ＭＨｚである。
【０２３８】
なお、本例では、ｒ１＝Ｔ１／Ｓ１＝０．２８９となるように第２の設定値Ｖ３を設定し、ｒ２＝Ｑ１／Ｐ１＝０．０４２となるように、第１の設定値Ｈ３を設定することとしたが、これに限定されず、比ｒ１を他の値に設定した場合には、その比ｒ１により第２の設定値Ｖ３が決定され、比ｒ２を他の値に設定した場合には、その比ｒ２により第１の設定値Ｈ１が決定される。その場合、第２の設定値Ｖ３に応じて垂直偏向回路６により生成される垂直偏向電流ＩＶ２が変更され、以下に示すように、第１の設定値Ｈ３に応じて水平偏向回路７により生成される水平偏向電流ＩＨ２が変更される。
【０２３９】
次に、図１８は偏向信号発生ＩＣ４２１から水平偏向回路７に与えられる偏向信号ＤＥおよび水平偏向電流ＩＨ２の一例を示す図である。
【０２４０】
図１８（ａ），（ｃ）は偏向信号発生ＩＣ４２１から水平偏向回路７に与えられる偏向信号ＤＥを示し、図１８（ｂ），（ｄ）はそれぞれ図１８（ａ），（ｃ）に示す偏向信号ＤＥに基づいて生成される水平偏向電流ＩＨ２を示す。
【０２４１】
設定値Ｈ３が小さい場合には、偏向信号発生ＩＣ４２１から発生される偏向信号ＤＥの波形は、図１８（ａ）に矢印Ｚ１で示すように最大値のタイミングＴＭが早くなるように変化する。それにより、水平偏向回路７の水平偏向ヨークＬＨには図１８（ｂ）に示すのこぎり波状の水平偏向電流ＩＨ２が生成される。この場合、水平偏向電流ＩＨ２のフィールド走査期間Ｐ１が短くなり、フィールド帰線期間Ｑ１は長くなる。
【０２４２】
一方、第１の設定値Ｈ３が大きい場合には、偏向信号発生ＩＣ４２１から発生される偏向信号ＤＥの波形は、図１１（ｂ）に矢印Ｚ２で示すように最大値のタイミングＴＭが遅くなるように変化する。それにより、図１１（ｄ）に示すように、水平偏向電流ＩＨ２のフィールド走査期間Ｐ１が長くなり、フィールド帰線期間Ｑ１が短くなる。
【０２４３】
以上のように、本実施の形態の映像表示装置では、垂直偏向回路６により生成される垂直偏向電流ＩＶ２により定まる垂直方向のライン走査期間Ｓ１が従来の横偏向方式における垂直方向のフィールド走査期間に比べて短く設定されかつライン帰線期間Ｔ１が従来の横偏向方式におけるフィールド帰線期間に比べて長く設定されるとともに補間処理により縦偏向方式の映像信号ＶＤＶにおける垂直方向のライン走査期間のサンプル数が低減される。さらに、水平偏向回路７により生成される水平偏向電流ＩＨ２により定まる水平方向のフィールド走査期間Ｐ１が従来の横偏向方式における水平方向のライン走査期間に比べて長く設定されかつフィールド帰線期間Ｑ１が従来の横偏向方式におけるライン帰線期間に比べて短く設定されるとともに補間処理により縦偏向方式の映像信号ＶＤＶにおける水平方向のフィールド走査期間のサンプル数が増加される。
【０２４４】
したがって、横偏向方式の映像信号ＶＤＨが縦偏向方式の映像信号ＶＤＶに変換された場合に、垂直方向のライン走査期間に対するライン帰線期間の割合が増加することによりフライバックパルスのピーク電圧値の増加が防止される。また、垂直方向のライン帰線期間が増加することにより垂直方向のライン帰線期間においてスイッチング素子のコレクタ電流が流れる時間Ｔｃの占める割合の増加が抑制される。これらの結果、フライバックトランスにおける電力損失の増加が抑制される。さらに、縦偏向方式の映像信号ＶＤＶにおける水平方向のフィールド走査期間のサンプル数が増加する。したがって、輝度の向上が図られる。
【０２４５】
本実施の形態においては、メモリ４０３が記憶手段に相当し、有効走査期間書き込み制御回路４０１が書き込み手段に相当し、短軸方向読み出し制御回路４０５が読み出し手段に相当し、長軸方向映像信号補間処理回路４１０が第１の補間処理手段に相当し、ＣＲＴ８および表示画面８ａが表示手段に相当し、短軸方向映像信号補間処理回路４１１が第２の補間処理手段に相当し、共振周波数切替回路４２３が第１の変更手段に相当し、水平偏向回路７および偏向信号発生ＩＣ４２１が第２の変更手段に相当し、設定値決定回路４０６ａ、ＯＮ／ＯＦＦ発生テーブル４２２および電圧変換テーブル４２０が偏向装置設定手段に相当する。
【０２４６】
（第４の実施の形態）
次に、本発明の第４の実施の形態に係る映像表示装置について説明する。本発明の第４の実施の形態に係る映像表示装置の全体の構成は、映像信号処理回路１の構成を除いて図１に示した構成と同様である。
【０２４７】
図１９は第４の実施の形態に係る映像表示装置における映像信号処理回路１の構成を示すブロック図である。
【０２４８】
図１９の映像信号処理回路１が図２の映像信号処理回路１と異なるのは、図２の設定値決定回路４０６および補間処理回路４０７が設けられず、帰線期間サンプリング数設定回路（以下、サンプリング数設定回路と略記する。）４１２がさらに設けられている点である。
【０２４９】
書き込み制御回路４０１、Ａ／Ｄコンバータ４０２およびＤ／Ａコンバータ４０８の動作は、図２の書き込み制御回路４０１、Ａ／Ｄコンバータ４０２およびＤ／Ａコンバータ４０８の動作と同様である。
【０２５０】
また、垂直偏向回路６は、切替信号ＳＷ１〜ＳＷｎおよび駆動パルスＤＰに基づいて垂直偏向電流ＩＶ２を生成し、垂直同期信号ＶＶ２に同期してＣＲＴ８において電子ビームを縦方向（垂直方向）に偏向するために鋸歯状の垂直偏向電流ＩＶ２を垂直偏向コイルＬＶに供給する。
【０２５１】
垂直偏向回路６により生成される垂直偏向電流ＩＶ２により定まる垂直方向のライン帰線期間は従来の横偏向方式における垂直方向のフィールド帰線期間に比べて伸張されている。
【０２５２】
なお、本実施の形態においては、後述する第３のサンプル数ＢＶに応じて垂直偏向電流ＩＶ２におけるライン帰線期間の長さが可変に設定される。
【０２５３】
水平偏向回路７は、後述する偏向信号ＤＥに同期してＣＲＴ８において電子ビームを横方向（水平方向）に偏向するために鋸歯状の水平偏向電流ＩＨ２を水平偏向コイルＬＨに供給する。
【０２５４】
水平偏向回路７により生成される水平偏向電流ＩＨ２により定まる水平方向のフィールド帰線期間は従来の横偏向方式における水平方向のライン帰線期間に比べて短縮されている。
【０２５５】
なお、本実施の形態においては、後述する第２のライン数ＢＨに応じて水平偏向電流ＩＨ２におけるフィールド帰線期間の長さが可変に設定される。
【０２５６】
サンプル数設定回路４１２は、予め内部にルックアップテーブル等のテーブルより横偏向方式の映像信号ＶＤＨの垂直方向における全ライン数と横偏向方式の映像信号ＶＤＨの垂直方向の有効走査期間におけるライン数（以下、第１のライン数と呼ぶ）、横偏向方式の映像信号ＶＤＨの水平方向のライン走査期間におけるサンプル数（以下、第１のサンプル数と呼ぶ）、横偏向方式の映像信号ＶＤＨの水平方向のライン帰線期間のサンプル数（以下、第２のサンプル数と呼ぶ）、縦偏向方式の映像信号ＶＤＶにおける水平方向のフィールド帰線期間のライン数（以下、第２のライン数と呼ぶ）および縦偏向方式の映像信号ＶＤＶにおける垂直方向のライン帰線期間のサンプル数（以下、第３のサンプル数と呼ぶ）との関係を記憶している。
【０２５７】
ここで、第２のライン数は、第２のサンプル数よりも小さい値に設定される。それにより、縦偏向方式の映像信号ＶＤＶの水平方向のフィールド帰線期間は、横偏向方式の映像信号ＶＤＨの水平方向のライン帰線期間よりも短くなる。また、第３のサンプル数は、第２のライン数が第２のサンプル数よりも小さい値に減少することにより余るサンプル数を垂直方向のライン帰線期間に割り当てることにより得られる垂直方向のライン帰線期間のサンプル数である。それにより、縦偏向方式の映像信号ＶＤＶの垂直方向のライン帰線期間は、横偏向方式の映像信号ＶＤＨの垂直方向のフィールド帰線期間よりも長くなる。
【０２５８】
サンプル数設定回路４１２は、入力される垂直同期信号ＶＶ１の周期を水平同期信号ＨＨ１の周期で除算することにより横偏向方式の映像信号ＶＤＨの垂直方向における全ライン数を算出し、第１のライン数、第１のサンプル数、第２のサンプル数、第２のライン数および第３のサンプル数をテーブルから抽出し、第２のライン数ＢＨおよび第３のサンプル数ＢＶを読み出し制御回路４０５、ＯＮ／ＯＦＦ発生テーブル４２２および電圧変換テーブル４２０に与える。
【０２５９】
同期信号変換回路４０４は、第２のライン数ＢＨおよび第３のサンプル数ＢＶに基づいて、入力された横偏向方式の垂直同期信号ＶＶ１および水平同期信号ＨＨ１を縦偏向方式の垂直同期信号ＶＶ２および水平同期信号ＨＨ２に変換し、縦偏向方式の垂直同期信号ＶＶ２および水平同期信号ＨＨ２を読み出し制御回路４０５に与える。
【０２６０】
読み出し制御回路４０５は、同期信号変換回路４０４より与えられた縦偏向方式の垂直同期信号ＶＶ２および水平同期信号ＨＨ２ならびにサンプル数設定回路４１２より与えられた第２のライン数ＢＨおよび第３のサンプル数ＢＶに応答して読み出しクロック信号ＲＣＫ４および読み出しアドレス信号ＲＡをメモリ４０３に与えるとともに読み出しサンプリング信号ＲＳ４をＤ／Ａコンバータ４０８に与える。
【０２６１】
電圧変換テーブル４２０は、与えられた第２のライン数ＢＨおよび第３のサンプル数ＢＶに基づいて制御電圧信号ＤＳを偏向信号発生ＩＣ４２１へ与える。
【０２６２】
偏向信号発生ＩＣ４２１は、電圧変換テーブル４２０から与えられた制御電圧信号ＤＳに基づいて縦偏向方式における垂直偏向回路６に駆動パルスＤＰを与え、水平偏向回路７に偏向信号ＤＥを与える。なお、垂直偏向回路６および水平偏向回路７の構成については、第１の実施の形態における図９および図１０に示す垂直偏向回路６および水平偏向回路７と同様である。
【０２６３】
ＯＮ／ＯＦＦ発生テーブル４２２は、与えられた与えられた第２のライン数ＢＨおよび第３のサンプル数ＢＶに基づいて切替信号ＳＷ１〜ＳＷｎを生成し、垂直偏向回路６の共振周波数切替回路４２３に与える。
【０２６４】
共振周波数切替回路４２３は、切替信号ＳＷ１〜ＳＷｎに応じて垂直偏向回路６の共振周波数を切り替える。また、偏向信号発生ＩＣ４２１から与えられる駆動パルスＤＰのパルス幅は第３のサンプル数ＢＶに応じて可変となっている。さらに、偏向信号発生ＩＣ４２１から与えられる偏向信号ＤＥの波形は第３のライン数ＢＨに応じて可変となっている。したがって、垂直偏向電流ＩＶ２により定まる垂直方向のライン帰線期間が第３のサンプル数ＢＶに応じて調整され、水平偏向電流ＩＨ２により定まる水平方向のフィールド帰線期間が第３のライン数ＢＨに応じて調整される。
【０２６５】
この場合、読み出し制御回路４０５は、表示画面８ａの縦方向に沿った順にサンプルがメモリ４０３から読み出されるように読み出しアドレス信号ＲＡを変化させる。また、読み出し制御回路４０５は、垂直方向のライン走査期間および水平方向のフィールド走査期間のサンプルがメモリ４０３から読み出されるように読み出しクロック信号ＲＣＫ４および読み出しアドレス信号ＲＡをメモリ４０３に与える。それにより、縦偏向方式に従って垂直方向のライン走査期間および水平方向のフィールド走査期間のサンプルが読み出しアドレス信号ＲＡにより指定されるメモリ４０３のアドレス位置から読み出される。メモリ４０３から読み出されたサンプルは、Ｄ／Ａコンバータ４０８に与えられる。
【０２６６】
Ｄ／Ａコンバータ４０８は、読み出し制御回路４０５により与えられる読み出しサンプリング信号ＲＳ４に同期して、メモリ４０３から読み出されたサンプルをデジタル−アナログ変換し、縦偏向方式の映像信号ＶＤＶを出力する。
【０２６７】
この場合、縦偏向方式の映像信号ＶＤＶにおける水平方向のフィールド帰線期間のライン数（第２のライン数ＢＨ）が横偏向方式の映像信号ＶＤＨにおける水平方向のフィールド帰線期間のサンプル数よりも減少し、かつ縦偏向方式の映像信号ＶＤＶにおける垂直方向のライン帰線期間のサンプル数（第３のサンプル数ＢＶ）が横偏向方式の映像信号ＶＤＨにおける垂直方向のフィールド帰線期間のライン数よりも増加することにより、垂直偏向電流ＩＶ２により定まる垂直方向のライン帰線期間が伸張され、かつ水平偏向電流ＩＨ２により定まる水平方向のライン帰線期間が短縮された場合にも、伸張された垂直方向のライン帰線期間および短縮された水平方向のフィールド帰線期間において映像が表示されない。
【０２６８】
図２０は図１９のメモリ４０３から読み出されるタイミングを示す図である。なお、図１９のメモリ４０３に書き込まれるサンプルのタイミングは図３に示したタイミングと同様である。
【０２６９】
図２０において、Ｐは水平方向のフィールド走査期間、Ｑ１は短縮された水平方向のフィールド帰線期間、Ｒ１は短縮された水平走査期間を示し、Ｓは垂直方向のライン走査期間、Ｔ１は伸張された垂直方向のライン帰線期間、Ｕ１は伸張された垂直走査期間を示す。
【０２７０】
図２０において、実線の丸印はメモリ４０３からサンプルが読み出されるタイミングを示し、矢印はメモリ４０３からのサンプルの読み出し順序を示す。なお、図２０において、破線の丸印は便宜上ライン帰線期間およびフィールド帰線期間との長さを示すために読み出しサンプリング信号ＲＳ４のタイミングを示す。
【０２７１】
以下の説明において、また、各サンプルのタイミングを（垂直走査におけるタイミング，水平走査におけるタイミング）で表す。例えば、図２０において、第ｋラインの第ｍ番目のサンプルのタイミングを（ｍ，ｋ）で表す。
【０２７２】
まず、図３に示したように、横偏向方式の映像信号ＶＤＨにおける水平走査期間Ｒの全サンプル数をＨ２とし、水平方向のライン走査期間Ｐのサンプル数（第１のサンプル数）をＨ１とする。したがって、水平方向のライン帰線期間Ｑ１のサンプル数（第２のサンプル数）は（Ｈ２−Ｈ１）となる。また、横偏向方式の映像信号ＶＤＨにおける垂直走査期間Ｕの全ライン数をＶ２とし、垂直方向のフィールド走査期間Ｓのライン数（第１のライン数）をＶ１とする。さらに、図２０に示す縦偏向方式の映像信号ＶＤＶにおける水平走査期間Ｒ１の全ライン数をＨ４とし、垂直走査期間Ｕ１の全ライン数をＶ４とする。したがって、水平方向のフィールド帰線期間のライン数（第２のライン数ＢＨ）は（Ｈ４−Ｈ１）となり、垂直方向のライン帰線期間のサンプル数（第３のサンプル数ＢＶ）は（Ｖ４−Ｖ１）となる。
【０２７３】
書き込み制御回路４０１は、Ａ／Ｄコンバータ４０２より出力されるサンプルが垂直方向のフィールド走査期間Ｓでかつ水平方向のライン走査期間Ｐのサンプルである場合に書き込みクロック信号ＷＣＫおよび書き込みアドレス信号ＷＡをメモリ４０３に与える。それにより、垂直方向のフィールド走査期間Ｓおよび水平方向のライン走査期間Ｐのサンプルが書き込みアドレス信号ＷＡにより指定されるメモリ４０３のアドレス位置に書き込まれる。一方、書き込み制御回路４０１は、Ａ／Ｄコンバータ４０２より出力されるサンプルが垂直方向のフィールド走査期間Ｓでかつ水平方向のライン走査期間Ｐのサンプルでない場合には書き込みクロック信号ＷＣＫおよび書き込みアドレス信号ＷＡをメモリ４０３に与えない。それにより、垂直方向のフィールド帰線期間Ｔおよび水平方向のライン帰線期間Ｑのサンプルはメモリ４０３には書き込まれない。
【０２７４】
図３の例では、サンプルがメモリ４０３にタイミング（１，１）、（１，２）、（１，３）、…（１，Ｈ１）、（２，１）、（２，２）、（２，３）、…（２，Ｈ１）、…（Ｖ１，１）、（Ｖ１，２）、（Ｖ１，３）、…（Ｖ１，Ｈ１）で順に書き込まれる。
【０２７５】
次に、図２０に示すように、垂直方向に沿った順にサンプルがメモリ４０３から読み出されるように、読み出し制御回路４０５は、サンプル数設定回路４１２から与えられる第２のライン数ＢＨおよび第３のサンプル数ＢＶに基づいて読み出しクロック信号ＲＣＫ４をメモリ４０３に与えるとともに読み出しアドレス信号ＲＡを変化させる。この場合、読み出し制御回路４０５は、垂直方向において第１のライン数Ｖ１分のサンプルを読み出し、第３のサンプル数ＢＶ分のサンプルを読み出さない。
【０２７６】
それにより、縦偏向方式に従って垂直方向のライン走査期間Ｓおよび水平方向のフィールド走査期間Ｐのサンプルが読み出しアドレス信号ＲＡにより指定されるメモリ４０３のアドレス位置から読み出される。メモリ４０３から読み出されたサンプルは、Ｄ／Ａコンバータ４０８に与えられる。
【０２７７】
図２０の例では、サンプルがメモリ４０３からタイミング（１，１）、（２，１）、（３，１）、…（Ｖ１，１）、（１，２）、（２，２）、（３，２）、…（Ｖ１，２）、…（１，Ｈ１）、（２，Ｈ１）、（３，Ｈ１）、…（Ｖ１，Ｈ１）で順に読み出される。タイミング（Ｖ１＋１，１）〜（Ｖ４，１）、（Ｖ１＋１，２）〜（Ｖ４，２）、…（Ｖ１＋１，Ｈ１）〜（Ｖ４，Ｈ１）、…（１，Ｈ１＋１）〜（Ｖ４，Ｈ１＋１）、…（１，Ｈ４）〜（Ｖ４，Ｈ４）でメモリ４０３からサンプルが出力されない。
【０２７８】
それにより、第３のサンプル数ＢＶに基づいて垂直偏向電流ＩＶ２により定まる垂直方向のライン帰線期間Ｔ１において映像信号が読み出されず、第２のライン数ＢＨにより定まる水平方向のフィールド帰線期間Ｑ１においてサンプルが出力されないため、ＣＲＴ８の画面に映像が表示されない。
【０２７９】
このように、縦偏向方式の映像信号ＶＤＶにおける水平方向のフィールド帰線期間のライン数（第２のライン数ＢＨ）が横偏向方式の映像信号ＶＤＨにおける水平方向のフィールド帰線期間のサンプル数よりも減少し、かつ縦偏向方式の映像信号ＶＤＶにおける垂直方向のライン帰線期間のサンプル数（第３のサンプル数ＢＶ）が横偏向方式の映像信号ＶＤＨにおける垂直方向のフィールド帰線期間のライン数よりも増加することにより、垂直方向のライン走査期間Ｓにおいて映像が表示され、垂直方向の伸張されたライン帰線期間Ｔ１において映像が表示されない。また、水平方向のフィールド走査期間Ｐにおいて映像が表示され、水平方向の短縮されたフィールド帰線期間Ｑ１において映像が表示されない。
【０２８０】
図２１は図２０に対応する縦偏向方式の映像信号のライン走査期間およびライン帰線期間とフィールド走査期間およびフィールド帰線期間との具体例を示す模式図である。図２０において、クロック数とは、読み出しクロック信号ＲＣＫ４および読み出しサンプリング信号ＲＳ４のパルス数を意味する。
【０２８１】
また、表６に図２１のライン走査期間およびライン帰線期間とフィールド走査期間およびフィールド帰線期間とを示す。なお、横偏向方式の映像信号のライン走査期間およびライン帰線期間とフィールド走査期間およびフィールド帰線期間との具体例は図６および表２と同様である。
【０２８２】
【表６】
2004304654.tif 000008
【０２８３】
ここでは、横偏向方式の映像信号が７５０ラインのプログレッシブ方式の映像信号である場合を考える。水平走査周波数は４５ｋＨｚであり、垂直走査周波数は６０Ｈｚである。
【０２８４】
横偏向方式の映像信号ＶＤＨのサンプリング周波数（書き込みサンプリング信号ＷＳおよび書き込みクロック信号ＷＣＫの周波数）は４５ｋＨｚ×１６５０クロック＝７４．２５ＭＨｚである。
【０２８５】
横偏向方式における垂直方向のフィールド帰線期間／フィールド有効走査期間は、表２から３０／７２０＝０．０４２となる。そこで、本例では、縦偏向方式において、水平方向のフィールド帰線期間／フィールド有効走査期間＝０．０４２となるように、水平走査期間Ｒ１の全ライン数Ｈ４を設定する。
【０２８６】
Ｑ１／Ｐ＝（Ｒ１−Ｐ）／Ｐ＝（Ｈ４−Ｈ１）／Ｈ４＝０．０４２
水平方向のライン走査期間Ｐのライン数Ｈ１は１２８０ラインである。したがって、上式から水平走査期間の全ライン数Ｈ４は次式のようになる。
【０２８７】
Ｈ４＝（１＋０．０４２）×Ｈ１＝１．０４２×１２８０＝１３３４［ライン］
このように、縦偏向方式の映像信号ＶＤＶにおける水平走査期間Ｒ１は１３３４ラインとなり、横偏向方式の映像信号ＶＤＨにおける水平走査期間Ｒの１６５０ラインよりも減少する。この場合、第２のライン数ＢＨ（＝Ｈ４−Ｈ１）は５４ラインとなる。
【０２８８】
また、本例では、垂直走査期間の全サンプル数Ｖ４が９２８クロックに設定される。それにより、縦偏向方式の映像信号ＶＤＶにおける垂直走査期間Ｕ１は９２８クロックとなり、横偏向方式の映像信号ＶＤＨにおける垂直走査期間Ｕの７５０クロックよりも増加する。この場合、第３のサンプル数ＢＶは２０８クロックとなる。
【０２８９】
その結果、図２１および表６に示すように、垂直方向のライン走査期間Ｓは７２０クロックから構成され、垂直方向のライン帰線期間Ｔ１は２０８クロックから構成され、垂直走査期間Ｕ１は９２８クロックから構成される。したがって、垂直方向のライン走査期間Ｓは９．７０μｓであり、垂直方向のライン帰線期間Ｔ１は２．８０μｓであり、垂直走査期間Ｕは１２．５０μｓとなる。また、水平方向のフィールド走査期間Ｐは１２８０ラインから構成され、水平方向のフィールド帰線期間Ｑ１は５４ラインから構成され、水平走査期間Ｒ１は１３３４ラインから構成される。したがって、水平方向のフィールド走査期間Ｐは１６．００ｍｓであり、水平方向のフィールド帰線期間Ｑ１は０．７０ｍｓであり、水平走査期間Ｒ１は１６．７０ｍｓとなる。
【０２９０】
この場合、縦偏向方式の映像信号ＶＤＶのサンプリング周波数（書き込みクロック信号ＲＣＫ４および読み出しサンプリング信号ＲＳの周波数）は８０．０４ｋＨｚ×９２８クロック＝７４．２５ＭＨｚである。したがって、サンプリング周波数を増加させることによる垂直方向のライン走査期間の短縮が防止されるので、輝度の低下が防止される。
【０２９１】
なお、本例においては、垂直走査期間の全サンプル数Ｖ４が９２８クロックに設定されることとしたが、これに限定されず、他の値に設定した場合には、その値Ｖ４に応じて垂直偏向回路６により生成される垂直偏向電流ＩＶ２が変更される。
【０２９２】
以上のように、本実施の形態の映像表示装置では、垂直偏向回路６により生成される垂直偏向電流ＩＶ２により定まる垂直走査期間Ｕ１が従来の横偏向方式における垂直走査期間と比べて長く設定されかつライン帰線期間Ｔ１が従来の横偏向方式における垂直方向のフィールド帰線期間に比べて長く設定され、水平偏向回路７により生成される水平偏向電流ＩＨ２により定まる水平走査期間Ｒ１が従来の横偏向方式における水平走査期間と比べて短く設定されかつフィールド帰線期間Ｑ１が従来の横偏向方式における水平方向のライン帰線期間に比べて短く設定されるとともに、縦偏向方式の映像信号ＶＤＶにおける水平方向のフィールド帰線期間のライン数が横偏向方式の映像信号ＶＤＨにおける水平方向のライン帰線期間のサンプル数よりも減少し、かつ縦偏向方式の映像信号ＶＤＶにおける垂直方向のライン帰線期間のサンプル数が横偏向方式の映像信号ＶＤＨにおける垂直方向のフィールド帰線期間のライン数よりも増加する。
【０２９３】
したがって、横偏向方式の映像信号ＶＤＨが縦偏向方式の映像信号ＶＤＶに変換された場合に、垂直方向のライン走査期間に対するライン帰線期間の割合が増加することによりフライバックパルスのピーク電圧値の増加が防止される。また、垂直方向のライン帰線期間が増加することにより垂直方向のライン帰線期間においてスイッチング素子のコレクタ電流が流れる時間Ｔｃの占める割合の増加が抑制される。これらの結果、フライバックトランスにおける電力損失の増加が抑制される。
【０２９４】
また、縦偏向方式の映像信号ＶＤＶにおける水平方向のフィールド走査期間および垂直方向のライン走査期間が横偏向方式の映像信号ＶＤＨにおける水平方向のライン走査期間および垂直方向のフィールド走査期間と等しくなる。したがって、輝度の低下が生じない。
【０２９５】
さらに、映像信号の補間処理およびサンプリング周波数の変更が不要であるので、構成が複雑化しない。
【０２９６】
本実施の形態においては、メモリ４０３が記憶手段に相当し、有効走査期間書き込み制御回路４０１が書き込み手段に相当し、短軸方向読み出し制御回路４０５が読み出し手段に相当し、ＣＲＴ８および表示画面８ａが表示手段に相当し、帰線期間サンプル数設定回路４１２がライン／サンプル設定手段に相当し、共振周波数切替回路４２３が第１の変更手段に相当し、水平偏向回路７および偏向信号発生ＩＣ４２１が第２の変更手段に相当し、帰線期間サンプル数設定回路４１２、電圧変換テーブル４２０およびＯＮ／ＯＦＦ発生テーブル４２２が偏向装置設定手段に相当する。
【０２９７】
【発明の効果】
本発明によれば、短軸方向のライン走査期間に対するライン帰線期間の割合が増加することによりフライバックパルスのピーク電圧値の増加が防止される。また、短軸方向のライン帰線期間が増加することにより短軸方向のライン帰線期間においてスイッチング素子のコレクタ電流が流れる時間の占める割合の増加が抑制される。これらの結果、フライバックトランスにおける電力損失の増加が抑制される。
【図面の簡単な説明】
【図１】本発明の第１の実施の形態に係る映像表示装置の構成を示すブロック図
【図２】図１の映像信号処理回路の構成を示すブロック図
【図３】図２のメモリに書き込まれるサンプルのタイミングを示す図
【図４】図２のメモリから読み出されるタイミングを示す図
【図５】図２の補間処理回路から出力されるサンプルのタイミングを示す図
【図６】図３に対応する横偏向方式の映像信号のライン走査期間およびライン帰線期間とフィールド走査期間およびフィールド帰線期間との具体例を示す模式図
【図７】図４に対応する縦偏向方式の映像信号のライン走査期間およびライン帰線期間とフィールド走査期間およびフィールド帰線期間との具体例を示す模式図
【図８】図５に対応する補間処理後の映像信号のライン走査期間およびライン帰線期間とフィールド走査期間およびフィールド帰線期間との具体例を示す模式図
【図９】縦偏向方式の垂直偏向回路を説明するための図
【図１０】縦偏向方式の水平偏向コイルを説明するための図
【図１１】偏向信号発生ＩＣから垂直偏向回路に与えられる駆動パルスおよび垂直偏向電流の一例を示す図
【図１２】第２の実施の形態に係る映像表示装置における映像信号処理回路の構成を示すブロック図
【図１３】図１２のメモリから読み出されるタイミングを示す図
【図１４】図１３に対応する縦偏向方式の映像信号のライン走査期間およびライン帰線期間とフィールド走査期間およびフィールド帰線期間との具体例を示す模式図
【図１５】第３の実施の形態に係る映像表示装置における映像信号処理回路の構成を示すブロック図
【図１６】図１５のメモリから読み出されるタイミングを示す図
【図１７】図１６に対応する補間処理後の映像信号のライン走査期間およびライン帰線期間とフィールド走査期間およびフィールド帰線期間との具体例を示す模式図
【図１８】偏向信号発生ＩＣから水平偏向回路に与えられる偏向信号および水平偏向電流の一例を示す図
【図１９】第４の実施の形態に係る映像表示装置における映像信号処理回路の構成を示すブロック図
【図２０】図１９のメモリから読み出されるタイミングを示す図
【図２１】図２０に対応する縦偏向方式の映像信号のライン走査期間およびライン帰線期間とフィールド走査期間およびフィールド帰線期間との具体例を示す模式図
【図２２】（ａ）は横偏向方式による走査線の形成を説明するための模式図、（ｂ）は縦偏向方式による走査線の形成を説明するための模式図
【図２３】（ａ）は横偏向方式による電子ビームのスポットの形状を示す模式図、（ｂ）は縦偏向方式による電子ビームのスポットの形状を示す模式図
【図２４】横偏向方式の映像信号のライン走査期間とライン帰線期間とフィールド走査期間およびフィールド帰線期間との関係を示す模式図
【図２５】縦偏向方式の映像信号のライン走査期間とライン帰線期間とフィールド走査期間およびフィールド帰線期間との関係を示す模式図
【図２６】横偏向方式を用いたテレビジョン装置の水平偏向回路を説明するための図
【図２７】（ａ）はスイッチング素子のコレクタ電流の波形図、（ｂ）はスイッチング素子のコレクタ電圧の波形図
【符号の説明】
１  映像信号処理回路
２  色信号再生回路
３  同期信号分離回路
６  垂直偏向回路
７  水平偏向回路
８  ＣＲＴ
８ａ  表示画面
４０１  有効走査期間書き込み制御回路
４０２  Ａ／Ｄ（アナログ／デジタル）コンバータ
４０３  メモリ
４０４  同期信号変換回路
４０５  短軸方向読み出し制御回路
４０７  映像信号補間処理回路
４０８  Ｄ／Ａ（デジタル／アナログ）コンバータ
４０９  サンプリング周波数設定回路
４１０  長軸方向映像信号補間処理回路
４１１  短軸方向映像信号補間処理回路
４１２  帰線期間サンプル数設定回路
【図１】
2004304654.tif 000009
【図２】
2004304654.tif 000010
【図３】
2004304654.tif 000011
【図４】
2004304654.tif 000012
【図５】
2004304654.tif 000013
【図６】
2004304654.tif 000014
【図７】
2004304654.tif 000015
【図８】
2004304654.tif 000016
【図９】
2004304654.tif 000017
【図１０】
2004304654.tif 000018
【図１１】
2004304654.tif 000019
【図１２】
2004304654.tif 000020
【図１３】
2004304654.tif 000021
【図１４】
2004304654.tif 000022
【図１５】
2004304654.tif 000023
【図１６】
2004304654.tif 000024
【図１７】
2004304654.tif 000025
【図１８】
2004304654.tif 000026
【図１９】
2004304654.tif 000027
【図２０】
2004304654.tif 000028
【図２１】
2004304654.tif 000029
【図２２】
2004304654.tif 000030
【図２３】
2004304654.tif 000031
【図２４】
2004304654.tif 000032
【図２５】
2004304654.tif 000033
【図２６】
2004304654.tif 000034
【図２７】
2004304654.tif 000035